(57)【特許請求の範囲】
【請求項１】
無線通信システムにおいて基地局が位置ベースのサービスのための位置測定用参照信号を伝送する方法であって、
前記位置測定用参照信号の伝送のために一つ以上のスーパーフレームをスパンする位置測定用ゾーンの構成情報を伝送することと、
前記位置測定用ゾーンを、下記の式を満たすスーパーフレーム番号を持つスーパーフレームから始めて、前記構成情報によって伝送することと、を含む、位置測定用参照信号の伝送方法：
【化５】
0005503084.tif 000011
（ここで、ＳＦＮＳ−ＳＦＨ（ＳＰ３）は、前記構成情報を含む副スーパーフレームヘッダー（ｓｅｃｏｎｄａｒｙ  ｓｕｐｅｒ  ｆｒａｍｅ  ｈｅａｄｅｒ、Ｓ−ＳＦＨ）変更サイクル内の最後のスーパーフレーム番号であり、Ｄ−ＬＢＳＺＰは、前記位置測定用ゾーンの伝送周期である。）
【請求項２】
前記構成情報は、前記位置測定用ゾーンの前記伝送周期を指示する情報を含む、請求項１に記載の位置測定用参照信号の伝送方法。
【請求項３】
前記Ｓ−ＳＦＨ変更サイクルは、Ｓ−ＳＦＨのコンテンツが同一に維持される最小限の持続期間（ｄｕｒａｔｉｏｎ）である、請求項１または２に記載の位置測定用参照信号の伝送方法。
【請求項４】
無線通信システムにおいてユーザー機器が位置ベースのサービスのための位置測定用参照信号を受信する方法であって、
基地局から、一つ以上のスーパーフレームをスパンする位置測定用ゾーンの構成情報を受信することと、
前記位置測定用ゾーンを、下記の式を満たすスーパーフレーム番号を持つスーパーフレームから始めて、前記構成情報によって受信することと、を含む位置測定用参照信号の受信方法：
【化６】
0005503084.tif 000012
（ここで、ＳＦＮＳ−ＳＦＨ（ＳＰ３）は、前記構成情報を含む副スーパーフレームヘッダー（ｓｅｃｏｎｄａｒｙ  ｓｕｐｅｒ  ｆｒａｍｅ  ｈｅａｄｅｒ、Ｓ−ＳＦＨ）変更サイクル内の最後のスーパーフレーム番号であり、Ｄ−ＬＢＳＺＰは、前記位置測定用ゾーンの伝送周期である。）
【請求項５】
前記構成情報は、前記位置測定用ゾーンの前記伝送周期を指示する情報を含む、請求項４に記載の位置測定用参照信号の受信方法。
【請求項６】
前記Ｓ−ＳＦＨ変更サイクルは、Ｓ−ＳＦＨのコンテンツが同一に維持される最小限の持続期間（ｄｕｒａｔｉｏｎ）である、請求項４または５に記載の位置測定用参照信号の受信方法。
【請求項７】
前記位置測定用ゾーン上で受信した前記位置測定用参照信号を用いて、前記ユーザー機器の位置決定のための位置関連情報を測定することをさらに含む、請求項４に記載の位置測定用参照信号の受信方法。
【請求項８】
無線通信システムにおいて位置ベースのサービスのための位置測定用参照信号を伝送する基地局であって、
送信器と、
前記送信器を制御するように構成されたプロセッサと、を備え、
前記プロセッサは、
前記位置測定用参照信号の伝送のために一つ以上のスーパーフレームをスパンする位置測定用ゾーンの構成情報を伝送するように前記送信器を制御し、前記位置測定用ゾーンを、下記の式を満たすスーパーフレーム番号を持つスーパーフレームから始めて、前記構成情報によって伝送するように前記送信器を制御する、基地局：
【化７】
0005503084.tif 000013
（ここで、ＳＦＮＳ−ＳＦＨ（ＳＰ３）は、前記構成情報を含む副スーパーフレームヘッダー（ｓｅｃｏｎｄａｒｙ  ｓｕｐｅｒ  ｆｒａｍｅ  ｈｅａｄｅｒ、Ｓ−ＳＦＨ）変更サイクル内の最後のスーパーフレーム番号であり、Ｄ−ＬＢＳＺＰは、前記位置測定用ゾーンの伝送周期である。）
【請求項９】
前記構成情報は、前記位置測定用ゾーンの前記伝送周期を指示する情報を含む、請求項８に記載の基地局。
【請求項１０】
前記Ｓ−ＳＦＨ変更サイクルは、Ｓ−ＳＦＨのコンテンツが同一に維持される最小限の持続期間（ｄｕｒａｔｉｏｎ）である、請求項８または９に記載の基地局。
【請求項１１】
無線通信システムにおいて位置ベースのサービスのための位置測定用参照信号を受信するユーザー機器であって、
受信器と、
前記受信器を制御するように構成されたプロセッサと、を備え、
前記受信器は、基地局から一つ以上のスーパーフレームをスパンする位置測定用ゾーンの構成情報を受信するように構成され、前記プロセッサは、前記位置測定用ゾーンを、下記の式を満たすスーパーフレーム番号を持つスーパーフレームから始めて、前記構成情報によって受信するように前記受信器を制御する、ユーザー機器：
【化８】
0005503084.tif 000014
（ここで、ＳＦＮＳ−ＳＦＨ（ＳＰ３）は、前記構成情報を含む副スーパーフレームヘッダー（ｓｅｃｏｎｄａｒｙ  ｓｕｐｅｒ  ｆｒａｍｅ  ｈｅａｄｅｒ、Ｓ−ＳＦＨ）変更サイクル内の最後のスーパーフレーム番号であり、Ｄ−ＬＢＳＺＰは、前記位置測定用ゾーンの伝送周期である。）
【請求項１２】
前記構成情報は、前記位置測定用ゾーンの前記伝送周期を指示する情報を含む、請求項１１に記載のユーザー機器。
【請求項１３】
前記Ｓ−ＳＦＨ変更サイクルは、Ｓ−ＳＦＨのコンテンツが同一に維持される最小限の持続期間（ｄｕｒａｔｉｏｎ）である、請求項１１または１２に記載のユーザー機器。
【請求項１４】
前記プロセッサは、前記位置測定用ゾーン上で受信した前記位置測定用参照信号を用いて、前記ユーザー機器の位置決定のための位置関連情報を測定するように構成された、請求項１１に記載のユーザー機器。
【発明の詳細な説明】
【技術分野】
【０００１】
本発明は、無線通信システムに係り、特に、無線通信システムにおいて基地局が位置ベースのサービスを提供するための参照信号を伝送する方法及びそのための装置に関する。また、上記参照信号を受信する方法及びそのための装置に関する。
【背景技術】
【０００２】
ユーザー機器の位置を測定する種々の方法は２種類に大別可能である。その一つは、基地局がユーザー機器に伝送する下りリンク信号に基づいて当該ユーザー機器の位置が測定される下りリンクベースの位置測定であり、もう一つは、ユーザー機器が基地局に伝送する上りリンク信号に基づいて当該ユーザー機器の位置が測定される上りリンクベースの位置測定である。下りリンクベースの位置測定では、ユーザー機器は、複数のセルから伝送された下りリンク信号を受信し、それら下りリンク信号の遅延時間などの位置関連パラメータを測定する。一方、上りリンクベースの位置測定では、基地局が、ユーザー機器が当該基地局及び隣接する基地局に伝送した上りリンク信号の遅延時間などの位置関連パラメータを測定する。すなわち、ユーザー機器の地理的位置は基本的に、複数のセルから当該ユーザー機器に送信された信号の遅延時間、或いはユーザー機器が複数のセルに送信した信号の遅延時間を測定して計算される。そのため、ユーザー機器の位置を測定するためには複数の信号が要求される。これに基づいてユーザー機器の位置を計算する種々の方法が存在するが、主に、信号到達時間差（Ｔｉｍｅ  Ｄｉｆｆｅｒｅｎｃｅ  Ｏｆ  Ａｒｒｉｖａｌ、ＴＤＯＡ）手法或いは到達時間手法（Ｔｉｍｅ  Ｏｆ  Ａｒｒｉｖａｌ、ＤＯＡ）が用いられている。
【０００３】
図１は、ユーザー機器の位置を測定するための下りリンクＴＤＯＡ手法の概念図である。
【０００４】
図１を参照すると、下りリンクＴＤＯＡ手法は、ユーザー機器が、各セルから送信された信号が当該ユーザー機器に到達したタイミング差を用いてユーザー機器の位置を測定するもので、当該ユーザー機器は、各セルから受信した信号の遅延時間を測定してそれをサービングセル（ｓｅｒｖｉｎｇ  ｃｅｌｌ）またはアンカーセル（ａｎｃｈｏｒ  ｃｅｌｌ）に報告し、サービングセルは、報告された遅延時間を用いて当該ユーザー機器の位置を測定する。
【０００５】
一方、高品質の通信サービスを提供するために、ネットワーク内のユーザー機器の位置及び／またはユーザー機器に関連した客体（ｅｎｔｉｔｙ）の位置をより正確に決定するための位置測定方式の必要性が高まっている。そこで、既存無線フレームの構造への影響を最小化しながら、進歩した（ａｄｖａｎｃｅｄ）位置決定方案が提供されなければならない。
【発明の概要】
【発明が解決しようとする課題】
【０００６】
本発明は、既存の無線フレーム構造への影響を最小化しながら、位置ベースのサービスのための位置測定用参照信号を伝送する方案を提示する。
【０００７】
また、本発明は、各セルが位置測定用参照信号伝送の制御信号を自由に伝送できる方案を提示する。
【０００８】
また、本発明は、ユーザー機器が、各セルが位置測定用参照信号を伝送する時点を正確に判断できる方案を提示する。
【０００９】
本発明が達成しようとする技術的課題は、以上に言及した技術的課題に制限されず、言及していない他の技術的課題は、以下の発明の詳細な説明から、本発明の属する技術の分野における通常の知識を有する者には明確に理解されるであろう。
【課題を解決するための手段】
【００１０】
本発明の一様相として、無線通信システムにおいて基地局が位置ベースのサービスのための位置測定用参照信号を伝送する方法において、前記位置測定用参照信号の伝送のために一つ以上のスーパーフレームをスパンする位置測定用ゾーンの構成情報を伝送することと、
前記位置測定用ゾーンを、下記の式を満たすスーパーフレーム番号を持つスーパーフレームから始めて、前記構成情報によって伝送することと、を含む、位置測定用参照信号の伝送方法が提供される：
式
【００１１】
【化１】
0005503084.tif 000002
（ここで、ＳＦＮＳ−ＳＦＨ（ＳＰ３）は、  前記構成情報を含む副スーパーフレームヘッダー（ｓｅｃｏｎｄａｒｙ  ｓｕｐｅｒ  ｆｒａｍｅ  ｈｅａｄｅｒ、Ｓ−ＳＦＨ）変更サイクル内の最後のスーパーフレーム番号であり、Ｄ−ＬＢＳＺＰは、前記位置測定用ゾーンの伝送周期である。）
本発明の他の様相として、無線通信システムにおいてユーザー機器が位置ベースのサービスのための位置測定用参照信号を受信する方法において、基地局から、一つ以上のスーパーフレームをスパンする位置測定用ゾーンの構成情報を受信することと、前記位置測定用ゾーンを、下記の式を満たすスーパーフレーム番号を持つスーパーフレームから始めて、前記構成情報によって受信することと、を含む位置測定用参照信号の受信方法が提供される：
式
【００１２】
【化２】
0005503084.tif 000003
（ここで、ＳＦＮＳ−ＳＦＨ（ＳＰ３）は、前記構成情報を含む副スーパーフレームヘッダー（ｓｅｃｏｎｄａｒｙ  ｓｕｐｅｒ  ｆｒａｍｅ  ｈｅａｄｅｒ、Ｓ−ＳＦＨ）変更サイクル内の最後のスーパーフレーム番号であり、Ｄ−ＬＢＳＺＰは、前記位置測定用ゾーンの伝送周期である。）
本発明のさらに他の様相として、無線通信システムにおいて位置ベースのサービスのための位置測定用参照信号を伝送する基地局であって、送信器と、前記送信器を制御するように構成されたプロセッサと、を備え、前記プロセッサは、前記位置測定用参照信号の伝送のために一つ以上のスーパーフレームをスパンする位置測定用ゾーンの構成情報を伝送するように前記送信器を制御し、前記位置測定用ゾーンを、下記の式を満たすスーパーフレーム番号を持つスーパーフレームから始めて、前記構成情報によって伝送するように前記送信器を制御する、基地局が提供される：
式
【００１３】
【化３】
0005503084.tif 000004
（ここで、ＳＦＮＳ−ＳＦＨ（ＳＰ３）は、前記構成情報を含む副スーパーフレームヘッダー（ｓｅｃｏｎｄａｒｙ  ｓｕｐｅｒ  ｆｒａｍｅ  ｈｅａｄｅｒ、Ｓ−ＳＦＨ）変更サイクル内の最後のスーパーフレーム番号であり、Ｄ−ＬＢＳＺＰは、前記位置測定用ゾーンの伝送周期である。）
本発明のさらに他の様相として、無線通信システムにおいて位置ベースのサービスのための位置測定用参照信号を受信するユーザー機器であって、受信器と、前記受信器を制御するように構成されたプロセッサと、を備え、前記受信器は、基地局から一つ以上のスーパーフレームをスパンする位置測定用ゾーンの構成情報を受信するように構成され、前記プロセッサは、前記位置測定用ゾーンを、下記の式を満たすスーパーフレーム番号を持つスーパーフレームから始めて、前記構成情報によって受信するように前記受信器を制御する、ユーザー機器が提供される：
式
【００１４】
【化４】
0005503084.tif 000005
（ここで、ＳＦＮＳ−ＳＦＨ（ＳＰ３）は、前記構成情報を含む副スーパーフレームヘッダー（ｓｅｃｏｎｄａｒｙ  ｓｕｐｅｒ  ｆｒａｍｅ  ｈｅａｄｅｒ、Ｓ−ＳＦＨ）変更サイクル内の最後のスーパーフレーム番号であり、Ｄ−ＬＢＳＺＰは、前記位置測定用ゾーンの伝送周期である。）
本発明の各様相において、前記伝送情報は、前記位置測定用ゾーンの伝送周期を指示する情報を含むことができる。
【００１５】
本発明の各様相において、前記Ｓ−ＳＦＨ変更サイクルは、Ｓ−ＳＦＨのコンテンツが同一に維持される最小限の持続期間（ｄｕｒａｔｉｏｎ）でよい。
【００１６】
本発明の各様相において、前記ユーザー機器は、前記位置測定用ゾーン上で受信した前記位置測定用参照信号を用いて、前記ユーザー機器の位置決定のための位置関連情報を測定することができる。
【００１７】
本発明の各様相において、前記ユーザー機器は、前記位置関連情報を前記基地局に伝送することができる。また、前記基地局は、前記ユーザー機器が伝送した位置関連情報、及び他の基地局と共有した前記ユーザー機器に関する位置関連情報を用いて、前記ユーザー機器の位置を決定することができる。
【００１８】
上記の技術的解決方法は、本発明の実施例の例示に過ぎず、本願発明の技術的特徴が反映された種々の実施例が、当該技術の分野における通常の知識を有する者には、以下に詳述する本発明の詳細な説明から導出され理解されるであろう。
【発明の効果】
【００１９】
本発明の実施例によれば、既存の無線フレーム構造への影響を最小化しながら、位置ベースのサービスのための位置測定用参照信号を伝送することが可能になる。
【００２０】
また、本発明の実施例によれば、位置測定に参加するセル相互間の干渉を減らすことができ、位置測定用参照信号に基づいてユーザー機器の位置測定性能を向上させることが可能になる。
【００２１】
また、本発明の実施例によれば、各セルが該当の位置測定用参照信号の伝送に関する情報をユーザー機器に自由に伝送することが可能になる。
【００２２】
また、本発明の実施例によれば、ユーザー機器と基地局が位置測定用参照信号の伝送される時間リソースを容易に認識することが可能になる。
【００２３】
本発明の効果は以上で言及した効果に制限されず、言及していない別の効果は、以下の発明の詳細な説明から、本発明の属する技術の分野における通常の知識を有する者には明らかになるであろう。
【図面の簡単な説明】
【００２４】
本発明に関する理解を助けるために詳細な説明の一部として含まれる添付の図面は、本発明に関する実施例を提供し、詳細な説明と共に本発明の技術的思想を説明する。
【図１】図１は、ユーザー機器の位置を測定するための下りリンクＯＴＤＯＡ手法の概念図である。
【図２】図２は、本発明を実行するユーザー機器及び基地局の構成要素を示すブロック図である。
【図３】図３は、ユーザー機器及び基地局内の送信器構造の一例を示す図である。
【図４】図４は、ＩＥＥＥ  ８０２．１６ｍの無線フレーム構造の一例を示す図である。
【図５】図５は、Ｄ−ＬＢＳゾーンの割当例を示す図である。
【図６】図６は、ＬＢＳのための位置測定に参加するセルが互いに異なる時点でＤ−ＬＢＳゾーンの初期（ｉｎｉｔｉａｌ）伝送を始める場合の問題点を例示する図である。
【図７】図７は、ＬＢＳのための位置測定に参加するセルが互いに異なる時点でＤ−ＬＢＳゾーンの初期（ｉｎｉｔｉａｌ）伝送を始める場合の問題点を例示する図である。
【図８】図８は、本発明の第１の実施例に係るＤ−ＬＢＳゾーン整列方法を例示する図である。
【図９】図９は、Ｓ−ＳＦＨ更新手順を例示する図である。
【図１０】図１０は、本発明の第２の実施例に係るＤ−ＬＢＳゾーン整列方法を例示する図である。
【図１１】図１１は、本発明の第２の実施例に係るＤ−ＬＢＳゾーン整列方法を例示する図である。
【図１２】図１２は、本発明の第４の実施例に係るＤ−ＬＢＳゾーン整列方法を例示する図である。
【図１３】図１３は、本発明の第４の実施例に係るＤ−ＬＢＳゾーン整列方法を例示する図である。
【図１４】図１４は、本発明の第５の実施例に係るＤ−ＬＢＳゾーン整列方法を例示する図である。
【図１５】図１５は、互いに異なるＳ−ＳＦＨ変更サイクルを用いるセルでのＤ−ＬＢＳゾーン構成情報を伝送する方法を例示する図である。
【発明を実施するための形態】
【００２５】
以下、本発明の好適な実施の形態を、添付の図面を参照して詳細に説明する。添付の図面と共に以下に開示される詳細な説明は、本発明の例示的な実施の形態を説明するためのもので、本発明が実施し得る唯一の実施の形態を示すためのものではない。以下の詳細な説明は、本発明の完全な理解を提供するために具体的な細部事項を含む。しかしながら、このような具体的な細部事項なしにも本発明が実施され得るということが当業者には理解される。例えば、以下の詳細な説明は、移動通信システムがＩＥＥＥ  ８０２．１６システムである場合を取り上げて具体的に説明するが、ＩＥＥＥ  ８０２．１６に特有の事項以外は、他の任意の移動通信システムにも適用可能である。
【００２６】
場合によって、本発明の概念が曖昧になることを避けるために、公知の構造及び装置は省略されたり、各構造及び装置の核心機能を中心にしたブロック図の形式で示されたりしてもよい。また、本明細書全体を通じて同一の構成要素には同一の図面符号を付して説明する。
【００２７】
本発明において、ユーザー機器（Ｕｓｅｒ  Ｅｑｕｉｐｍｅｎｔ、ＵＥ）は、固定しているものでも、移動性を有するものでもよく、基地局と通信してユーザーデータ及び／または各種の制御情報を送受信する各種機器を含む。ユーザー機器（Ｕｓｅｒ  Ｅｑｕｉｐｍｅｎｔ、ＵＥ）は、端末（Ｔｅｒｍｉｎａｌ  Ｅｑｕｉｐｍｅｎｔ）、ＭＳ（Ｍｏｂｉｌｅ  Ｓｔａｔｉｏｎ）、ＭＴ（Ｍｏｂｉｌｅ  Ｔｅｒｍｉｎａｌ）、ＵＴ（Ｕｓｅｒ  Ｔｅｒｍｉｎａｌ）、ＳＳ（Ｓｕｂｓｃｒｉｂｅ  Ｓｔａｔｉｏｎ）、無線機器（ｗｉｒｅｌｅｓｓ  ｄｅｖｉｃｅ）、ＰＤＡ（Ｐｅｒｓｏｎａｌ  Ｄｉｇｉｔａｌ  Ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）などと呼ばれることもある。また、本発明において、基地局（Ｂａｓｅ  Ｓｔａｔｉｏｎ、ＢＳ）は、一般に、ユーザー機器及び／または他の基地局と通信する固定した地点（ｆｉｘｅｄ  ｓｔａｔｉｏｎ）のことを指し、ユーザー機器及び他の基地局と通信して各種のデータ及び制御情報を交換する。基地局は、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）などの他の用語と呼ばれることもある。
【００２８】
一方、本発明でいうセルは、一基地局或いは一アンテナグループが通信サービスを提供する一定の地理的領域を指す。したがって、本発明において「特定セルと通信する」とは、特定セルに通信サービスを提供する基地局またはアンテナグループと通信するということを意味することができる。また、特定セルの下りリンク／上りリンク信号は、特定セルに通信サービスを提供する基地局またはアンテナグループとの下りリンク／上りリンク信号を意味する。また、特定セルのチャネル状態／品質は、特定セルに通信サービスを提供する基地局或いはアンテナグループと所定のＵＥとの間に形成されたチャネル或いは通信リンクのチャネル状態／品質を意味する。
【００２９】
以下、ＬＢＳスーパーフレーム／フレーム／サブフレーム／シンボルは、位置ベースのサービス（Ｌｏｃａｔｉｏｎ  Ｂａｓｅｄ  Ｓｅｒｖｉｃｅ、ＬＢＳ）のための参照信号が割り当てられた、或いは割り当てられ得るスーパーフレーム／フレーム／サブフレーム／シンボルをそれぞれ表す。ＬＢＳ用参照信号或いはＬＢＳのための位置測定用参照信号とは、より正確な位置決定を可能にする位置特定測定（ｌｏｃａｔｉｏｎ  ｓｐｅｃｉｆｉｃ  ｍｅａｓｕｒｅｍｅｎｔｓ）のために基地局が伝送する特別な波形（ｓｐｅｃｉａｌ  ｗａｖｅｆｏｒｍ）のことを意味する。後述する本発明の実施例に係る基地局は、上記の特別な波形の伝送に用いられるリソースの割当情報をユーザー機器にシグナリングすることができる。ユーザー機器は、本発明の実施例によって伝送される上記の特別な波形を探知し、関連測定を行う一方で、測定結果を当該ユーザー機器に報告することができる。
【００３０】
なお、以下では、スーパーフレーム／フレーム／サブフレーム／シンボル内の特定信号の伝送位置で特定信号を伝送しない場合は、該特定信号の伝送がドロップ（ｄｒｏｐ）、ミュート（ｍｕｔｅ）、ヌリング（ｎｕｌｌｉｎｇ）、ブランキング（ｂｌａｎｋｉｎｇ）されたと表現する。
【００３１】
一方、本発明で「特定信号のスーパーフレーム／フレーム／サブフレーム／シンボル／搬送波／副搬送波に割り当てて伝送する」とは、特定信号が該当のスーパーフレーム／フレーム／サブフレーム／シンボル時間区間／タイミングで該当の搬送波／副搬送波により搬送されるということを意味する。
【００３２】
図１で説明したように、ユーザー機器の位置を測定するために、該ユーザー機器と基地局との間の下りリンク／上りリンク信号の伝送／到着タイミングを活用することができる。タイミング測定に用いられる信号としては、下りリンクでは下りリンクパイロット、Ａ−プリアンブル（Ａｄｖａｎｃｅｄ  ｐｒｅａｍｂｌｅ、Ａ−ｐｒｅａｍｂｌｅ）などを用い、上りリンクでは上りリンクパイロット、レンジングチャネル（ｒａｎｇｉｎｇ  ｃｈａｎｎｅｌ、ＲＣＨ）、レンジングプリアンブルなどを用いることができる。以下では、下りリンク信号を用いた位置ベースのサービスをＤＬ  ＬＢＳと呼び、上りリンク信号を用いた位置ベースのサービスをＵＬ  ＬＢＳと呼ぶ。
【００３３】
以下では特に、位置測定用下りリンク信号に関する構成情報（或いは、伝送情報ともいう。）を伝送する方法及び基地局を説明する。また、当該伝送情報によって位置測定用下りリンク信号を伝送する方法及び基地局を説明する。また、当該伝送情報に基づいて位置測定用下りリンク信号を受信する方法及びユーザー機器を提供する。
【００３４】
図２は、本発明を実行するユーザー機器及び基地局の構成要素を示すブロック図である。
【００３５】
ユーザー機器は上りリンク（ｕｐｌｉｎｋ、ＵＬ）では送信装置として動作し、下りリンク（ｄｏｗｎｌｉｎｋ、ＤＬ）では受信装置として動作する。逆に、、基地局は上りリンクでは受信装置として動作し、下りリンクでは送信装置として動作する。
【００３６】
ユーザー機器及び基地局は、情報及び／またはデータ、信号、メッセージなどを受信できるアンテナ５００ａ，５００ｂ、アンテナを制御してメッセージを伝送する送信器（Ｔｒａｎｓｍｉｔｔｅｒ）１００ａ，１００ｂ、アンテナを制御してメッセージを受信する受信器（Ｒｅｃｅｉｖｅｒ）３００ａ，３００ｂ、無線通信システム内の通信に関連した各種の情報を保存するメモリー２００ａ，２００ｂを備える。また、ユーザー機器及び基地局は、ユーザー機器または基地局に備えられた送信器、受信器、メモリーなどの構成要素を制御して本発明を実行するように構成されたプロセッサ４００ａ，４００ｂをそれぞれ備える。ユーザー機器内の送信器１００ａ、受信器３００ａ、メモリー２００ａ、プロセッサ４００ａはそれぞれ、別個のチップ（ｃｈｉｐ）により独立した構成要素として具現されてもよく、２つ以上が一つのチップ（ｃｈｉｐ）により具現されてもよい。同様に、基地局内の送信器１００ｂ、受信器３００ｂ、メモリー２００ｂ、プロセッサ４００ｂもそれぞれ、別個のチップにより独立した構成要素として具現されてもよく、２つ以上が一つのチップにより具現されてもよい。送信器と受信器とを統合してユーザー機器または基地局内で単一の送受信器（ｔｒａｎｓｃｅｉｖｅｒ）にしてもよい。
【００３７】
アンテナ５００ａ，５００ｂは、送信器１００ａ，１００ｂで生成された信号を外部に伝送したり、外部から無線信号を受信して受信器３００ａ，３００ｂに伝達する機能を果たす。アンテナ５００ａ，５００ｂはアンテナポートと呼ばれることもある。各アンテナポートは一つの物理アンテナに相当してもよく、一つより多い物理アンテナ要素（ｅｌｅｍｅｎｔ）の組み合わせにより構成されてもよい。各アンテナポートから伝送された信号はＵＥ内の受信器３００ａによりそれ以上分解されることはない。該当のアンテナポートに対応して伝送された参照信号はＵＥの観点からのアンテナポートを定義し、チャネルが一物理アンテナからの単一（ｓｉｎｇｌｅ）無線チャネルなのか、或いは、アンテナポートを含む複数の物理アンテナ要素（ｅｌｅｍｅｎｔ）からなる合成（ｃｏｍｐｏｓｉｔｅ）チャネルなのかにかからわず、ＵＥが当該アンテナポートに対するチャネル推定を行えるようにする。すなわち、本発明でアンテナポートは、該アンテナポート上のシンボルを伝達するチャネルが、同アンテナポート上の他のシンボルが伝達されるチャネルから導出され得るように定義される。複数のアンテナを用いてデータを送受信する多重入出力（Ｍｕｌｔｉ−Ｉｎｐｕｔ  Ｍｕｌｔｉ−Ｏｕｔｐｕｔ、ＭＩＭＯ）機能を支援する送信器１００ａ，１００ｂ及び／または受信器３００ａ，３００ｂは２個以上のアンテナに接続することができる。
【００３８】
プロセッサ４００ａ，４００ｂは、一般に、ユーザー機器または基地局内の各種モジュールの動作全般を制御する。特に、プロセッサ４００ａ，４００ｂは、本発明を実行するための各種の制御機能、サービス特性及び伝播環境によるＭＡＣ（Ｍｅｄｉｕｍ  Ａｃｃｅｓｓ  Ｃｏｎｔｒｏｌ）フレーム可変制御機能、遊休モード動作を制御するための電力節約モード機能、ハンドオーバー（Ｈａｎｄｏｖｅｒ）機能、認証及び暗号化機能などを実行することができる。プロセッサ４００ａ，４００ｂは、コントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などと呼ばれることもある。一方、プロセッサ４００ａ，４００ｂを、ハードウェア（ｈａｒｄｗａｒｅ）、ファームウェア（ｆｉｒｍｗａｒｅ）、ソフトウェア、またはこれらの結合により具現することができる。ハードウェアを用いて本発明を具現する場合には、本発明を実行するように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、またはＦＰＧＡｓ（ｆｉｅｌｄ  ｐｒｏｇｒａｍｍａｂｌｅ  ｇａｔｅ  ａｒｒａｙｓ）などをプロセッサ４００ａ，４００ｂに備えることができる。一方、ファームウェアやソフトウェアを用いて本発明を具現する場合には、本発明の機能または動作を行うモジュール、手順または関数などを含むようにファームウェアやソフトウェアを構成することができ、本発明を実行し得るように構成されたファームウェアまたはソフトウェアは、プロセッサ４００ａ，４００ｂ内に備えられてもよく、メモリー２００ａ，２００ｂに保存されてプロセッサ４００ａ，４００ｂにより駆動されてもよい。
【００３９】
送信器１００ａ，１００ｂは、プロセッサ４００ａ，４００ｂまたは該プロセッサに接続したスケジューラからスケジューリングされて外部に伝送される信号及び／またはデータに所定の符号化（ｃｏｄｉｎｇ）及び変調（ｍｏｄｕｌａｔｉｏｎ）を行ってからアンテナ５００ａ，５００ｂに伝達する。例えば、送信器１００ａ，１００ｂは、伝送しようとするデータ列に逆多重化、チャネル符号化及び変調過程などを行ってＫ個の信号列に変換する。Ｋ個の信号列は送信器内の送信処理器を経て送信アンテナ５００ａ，５００ｂから伝送される。ユーザー機器及び基地局の送信器１００ａ，１００ｂ及び受信器３００ａ，３００ｂは、送信信号及び受信信号を処理する過程によって異なる構成とすることができる。
【００４０】
メモリー２００ａ，２００ｂは、プロセッサ４００ａ，４００ｂの処理及び制御のためのプログラムを保存することができ、入出力される情報を臨時保存することができる。メモリーは、フラッシュメモリータイプ（ｆｌａｓｈ  ｍｅｍｏｒｙ  ｔｙｐｅ）、ハードディスクタイプ（ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）またはカードタイプのメモリー（例えば、ＳＤまたはＸＤメモリーなど）、ＲＡＭ（Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ＲＯＭ（Ｒｅａｄ−Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＰＲＯＭ（Ｐｒｏｇｒａｍｍａｂｌｅ  Ｒｅａｄ−Ｏｎｌｙ  Ｍｅｍｏｒｙ）、磁気メモリー、磁気ディスク、光ディスクなどを用いて具現することができる。
【００４１】
一方、本発明のＢＳのプロセッサ４００ｂは、後述する本発明の実施例によってＤ−ＬＢＳゾーンに関する新しい或いは変更された構成情報を伝送するスーパーフレームを決定することができる。ＢＳプロセッサ４００ｂは、決定されたスーパーフレームで構成情報を該ＢＳにより制御されるセルに位置しているＵＥに伝送するようにＢＳ送信器１００ｂを制御することができる。構成情報は、Ｄ−ＬＢＳゾーンの伝送周期を表す情報を含むことができる。また、ＢＳのプロセッサ４００ｂは、新しい或いは変更された構成情報によってＤ−ＬＢＳゾーンを構成して伝送するようにＢＳ送信器１００ｂを制御することができる。ＢＳプロセッサ４００ｂは、本発明の実施例のいずれかによってＤ−ＬＢＳゾーンの伝送開始タイミングを決定することができる。すなわち、ＢＳプロセッサ４００ｂは、本発明の実施例のいずれかによってＤ−ＬＢＳゾーンの初期開始スーパーフレームを判断することができる。
【００４２】
また、ＢＳプロセッサ４００ｂは、ＬＢＳのための位置測定に参加するセルのＳ−ＳＦＨ変更サイクルのうち最も長いＳ−ＳＦＨ変更サイクルを考慮して新しいＤ−ＬＢＳゾーン構成情報の伝送時点を決定することができる。例えば、ＢＳプロセッサ４００ｂは、このＢＳの特定セルのＳＦＮＩｎｉｔｉａｌｓｔａｒｔｐｏｉｎｔが、位置測定に参加するセルのうち最も長いＳ−ＳＦＨ変更サイクルを持つセルのＳＦＮＩｎｉｔｉａｌｓｔａｒｔｐｏｉｎｔと同一となるように、新しいＤＬ−ＬＢＳゾーン構成情報の伝送時点を決定することができる。
【００４３】
ＵＥプロセッサ４００ａは、本発明の実施例のいずれかによって、構成情報の適用時点或いは受信時点に基づいて、Ｄ−ＬＢＳゾーンがどのスーパーフレームから初めて伝送されるかを判断することができる。すなわち、ＵＥプロセッサ４００ａは、本発明の実施例のいずれかによってＤ−ＬＢＳゾーンの初期開始スーパーフレーム（ＳＦＮＩｎｉｔｉａｌｓｔａｒｔｐｏｉｎｔ）を判断するとができる。ＵＥプロセッサ４００ａは、構成情報に基づいてＤ−ＬＢＳゾーンの活性化（ａｃｔｉｖａｔｉｏｎ）の有無を判断することができる。ＵＥプロセッサ４００ａは、構成情報に基づいてＤ−ＬＢＳゾーンの伝送周期を判断することができる。ＵＥプロセッサ４００ａは、構成情報に基づいてＤ−ＬＢＳゾーンを受信するようにＵＥ受信器３００ａを制御することができる。ＵＥ受信器３００ａは、ＵＥプロセッサ４００ａの制御下に、Ｄ−ＬＢＳゾーン上で伝送された位置測定用参照信号を受信或いは検出することができる。
【００４４】
ＵＥプロセッサ４００ａは、位置測定用参照信号を用いて、該ＵＥが位置しているセル（以下、サービングセル）の基地局、及びＬＢＳのための位置測定に参加する隣接セルの基地局が伝送したＤＬ  ＬＢＳのための位置測定用参照信号を用いて、当該位置測定用参照信号を伝送したＢＳとの位置関連パラメータを測定する構成とすることができる。例えば、位置関連パラメータとして、ＲＤ（Ｒｅｌａｔｉｖｅ  Ｄｅｌａｙ）、ＲＴＤ（Ｒｏｕｎｄ  Ｔｒｉｐ  Ｄｅｌａｙ）、ＲＳＳＩ（Ｒｅｃｅｉｖｅｄ  Ｓｉｇｎａｌ  Ｓｔｒｅｎｇｔｈ  Ｉｎｄｉｃａｔｉｏｎ）などを測定することができる。ＵＥ受信器３００ａは、Ｄ−ＬＢＳゾーンに属するスーパーフレームで複数のセルから位置測定用参照信号を受信し、ＵＥプロセッサ４００ａは、位置測定用参照信号を用いて位置関連パラメータを計算することができる。ＵＥプロセッサ４００ａまたはＵＥ受信器３００ａは、位置測定用参照信号を用いてＵＥの位置関連パラメータを測定或いは計算するモジュールを別途に備える構成とすることができる。ＵＥプロセッサ４００ａは、位置関連パラメータをサービングセルのＢＳに伝送するようにＵＥ送信器１００ａを制御することができる。サービングセルのＢＳのプロセッサ４００ｂは、ＵＥが送信した位置関連パラメータ及び隣接セルの位置関連パラメータを用いて当該ＵＥの位置を決定することができる。
【００４５】
一方、ＵＥのプロセッサ４００ａは、位置測定用参照信号を用いて該ＵＥの位置を直接決定することもできる。ＵＥプロセッサ４００ａは、ＵＥ送信器１００ａを制御して、決定された位置を表す情報を該当のＢＳに伝送することができる。ＵＥプロセッサ４００ａまたはＵＥ受信器３００ａは、位置測定用参照信号を用いて当該ＵＥの位置を決定するモジュールを別途に備える構成とすることができる。
【００４６】
図３は、ユーザー機器及び基地局内の送信器構造の一例を示す図である。図３を参照して送信器１００ａ，１００ｂの動作をより具体的に説明すると、下記の通りである。
【００４７】
ＯＦＤＭＡ送信器１００ａ，１００ｂは、ＭＩＭＯエンコーダ１１０、ＭＩＭＯプリコーダ１２０、副搬送波マッパー１４０−１，…，１４０−Ｋ、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）信号発生器、及びＮｔ個の送信アンテナ５００−１，５００−Ｎｔを備える。
【００４８】
ＭＩＭＯエンコーダ１１０は、伝送しようとするデータ列を、定められたコーディング方式によってエンコーディングして符号化されたデータ（ｃｏｄｅｄ  ｄａｔａ）とし、符号化されたデータを変調（ｍｏｄｕｌａｔｉｏｎ）して信号コンステレーション（ｓｉｇｎａｌ  ｃｏｎｓｔｅｌｌａｔｉｏｎ）上の位置を表現するシンボルに配置する。ＭＩＭＯエンコーダ１１０への入力である上記データ列は、媒体接続制御（Ｍｅｄｉｕｍ  Ａｃｃｅｓｓ  Ｃｏｎｔｒｏｌ、ＭＡＣ）層から伝達されたデータブロックにチャネル符号化（ｃｈａｎｎｅｌ  ｅｎｃｏｄｉｎｇ）、インターリービング（ｉｎｔｅｒｌｅａｖｉｎｇ）、スクランブリング（ｓｃｒａｍｂｌｉｎｇ）などのような種々の信号処理を適用して得られる。このデータ列は、コードワード或いはレイヤーと呼ぶこともでき、ＭＡＣ層が提供するデータブロックと等価のものである。ＭＡＣ層が提供するデータブロックは伝送ブロックと呼ばれることもある。変調方式（ｍｏｄｕｌａｔｉｏｎ  ｓｃｈｅｍｅ）に制限はなく、ｍ−ＰＳＫ（ｍ−Ｐｈａｓｅ  Ｓｈｉｆｔ  Ｋｅｙｉｎｇ）またはｍ−ＱＡＭ（ｍ−Ｑｕａｄｒａｔｕｒｅ  Ａｍｐｌｉｔｕｄｅ  Ｍｏｄｕｌａｔｉｏｎ）などが、符号化されたデータの変調に用いられるとよい。符号化されたデータの変調のために、ＭＩＭＯエンコーダ１１０は、変調器を独立したモジュールとして備えることができる。一方、ＭＩＭＯエンコーダ１１０は、ＭＩＭＯプリコーダ１２０がアンテナ特定シンボルを該当のアンテナの経路に分配し得るように、ＭＩＭＯプリコーダ１２０への入力シンボルのＭＩＭＯストリームを定義することもできる。ＭＩＭＯストリームは、ＭＩＭＯプリコーダ１２０に入力される情報経路（ｉｎｆｏｒｍａｔｉｏｎ  ｐａｔｈ）を意味する。ＭＩＭＯプリコーダ１２０以前の情報経路を仮想アンテナ（ｖｉｒｔｕａｌ  ａｎｔｅｎｎａ）またはＭＩＭＯストリームと見なすことができる。シンボルのＭＩＭＯストリームを定義するためにＭＩＭＯエンコーダ１１０はＭＩＭＯストリームマッパーを独立したモジュールとして備えることもできる。
【００４９】
ＭＩＭＯプリコーダ１２０は、入力シンボルを多重送信アンテナ５００−１，…，５００−Ｎｔに基づくＭＩＭＯ方式で処理してアンテナ特定シンボルを出力し、該アンテナ特定シンボルを該当の副搬送波マッパー１４０−１，…，１４０−Ｋに分配する。すなわち、ＭＩＭＯストリームのアンテナへのマッピングはＭＩＭＯプリコーダ１２０により行われる。ＭＩＭＯプリコーダ１２０は、ＭＩＭＯエンコーダ１１０の出力ｘをＮｔ×Ｍｔのプリコーディング行列ＷとかけてＮｔ×ＭＦの行列ｚとして出力することができる。
【００５０】
副搬送波マッパー１４０−１，…，１４０−Ｋは、アンテナ特定シンボルを適切な副搬送波（ｓｕｂｃａｒｒｉｅｒ）に割り当て、ユーザー機器に基づいて多重化する。一方、副搬送波マッパー１４０−１，…，１４０−Ｋは、変調されたシンボルをＬＲＵサイズのセグメントに分けた後、それぞれのセグメントをＬＲＵに割り当てるＬＲＵ割当ブロック（図示せず）を含むことができる。また、副搬送波マッパー１４０−１，…，１４０−Ｋは、ＬＲＵをデータバースト（ｄａｔａ  ｂｕｒｓｔ）にマッピングするマッピングブロック（図示せず）を備えることができる。データバーストは物理的周波数領域でＰＲＵに割り当てられる。したがって、副搬送波マッパー１４０−１，…，１４０−Ｋは、ＬＲＵとＰＲＵ間のマッピング関係によって、変調されたデータを副搬送波にマッピングする機能を行う。
【００５１】
ＯＦＤＭＡ信号発生器１５０は、アンテナ特定シンボルをＯＦＤＭ方式で変調してＯＦＤＭＡシンボルを出力する。ＯＦＤＭＡ信号発生器１５０は、アンテナ特定シンボルにＩＦＦＴ（Ｉｎｖｅｒｓｅ  Ｆａｓｔ  Ｆｏｕｒｉｅｒ  Ｔｒａｎｓｆｏｒｍ）を行うことができ、ＩＦＦＴの行われた時間ドメインシンボルにはＣＰ（Ｃｙｃｌｉｃ  Ｐｒｅｆｉｘ）を挿入することができる。ＯＦＤＭＡシンボルは、デジタル−アナログ（ｄｉｇｉｔａｌ−ｔｏ−ａｎａｌｏｇ）変換、周波数アップ変換などを経て、各送信アンテナ５００−１，…，５００−Ｎｔから受信装置に送信される。ＯＦＤＭＡ信号発生器１５０は、ＩＦＦＴモジュール、ＣＰ挿入器、ＤＡＣ（Ｄｉｇｉｔａｌ−ｔｏ−Ａｎａｌｏｇ  Ｃｏｎｖｅｒｔｅｒ）、周波数アップ変換器（ｆｒｅｑｕｅｎｃｙ  ｕｐ  ｃｏｎｖｅｒｔｅｒ）などを備えることができる。
【００５２】
ＯＦＤＭＡ受信器３００ａ，３００ｂの信号処理過程は、ＯＦＤＭＡ送信器と逆の構成になっている。
【００５３】
具体的に、ＯＦＤＭＡ受信器３００ａ，３００ｂは、外部からアンテナ５００ａ，５００ｂを介して受信された無線信号を復号（ｄｅｃｏｄｉｎｇ）及び復調（ｄｅｍｏｄｕｌａｔｉｏｎ）を行ってプロセッサ４００ａ，４００ｂに伝達する。ＯＦＤＭＡ受信器３００ａ，３００ｂに接続したアンテナ５００ａ，５００ｂは、Ｎｒ個の多重受信アンテナを含むことができ、受信アンテナから受信された信号のそれぞれは基底帯域信号に復元された後、多重化及びＭＩＭＯ復調化を経て、送信器１００ａ，１００ｂが本来伝送しようとしたデータ列に復元される。ＯＦＤＭＡ受信器３００ａ，３００ｂは、受信された信号を基底帯域信号に復元するための信号復元器２１０〜２３０、受信処理された信号を結合して多重化する多重化器２５０、信号列をデータ列に復元するＭＩＭＯデコーダ２６０を備えることができ、信号復元器、多重化器及びＭＩＭＯデコーダは、それらの機能を実行する統合した一つのモジュールにしてもよく、それぞれの独立したモジュールにしてもよい。より具体的に、信号復元器は、アナログ信号をデジタル信号に変換するＡＤＣ（ａｎａｌｏｇ−ｔｏ−ｄｉｇｉｔａｌ  ｃｏｎｖｅｒｔｅｒ）、該デジタル信号からＣＰを除去するＣＰ除去器２１０、ＣＰの除去された信号にＦＦＴ（ｆａｓｔ  Ｆｏｕｒｉｅｒ  ｔｒａｎｓｆｏｒｍ）を適用して周波数ドメインシンボルを出力するＦＦＴモジュール２２０、該周波数ドメインシンボルをアンテナ特定シンボルに復元する副搬送波デマッパー／等化器２３０を備えることができる。アンテナ特定シンボルは多重化器２５０によりＭＩＭＯストリームに復元され、該ＭＩＭＯストリームはＭＩＭＯデコーダ２６０により、送信装置が伝送しようとしたデータ列に復元される。
【００５４】
一方、ＳＣ−ＦＤＭＡ送信器は、ＯＦＤＭＡ送信器と比較して、副搬送波マッパー１４０，…，１４０−Ｋの前にＦＦＴモジュール１３０をさらに備える。ＳＣ−ＦＤＭＡ送信器は、ＩＦＦＴ処理の前にＦＦＴを用いて複数のデータを周波数ドメインに拡散させることで、送信信号のＰＡＲＲ（ｐｅａｋ−ｔｏ−ａｖｅｒａｇｅ  ｐｏｗｅｒ  ｒａｔｉｏ）をＯＦＤＭＡ方式に比べて大幅に減らすことができる。ＳＣ−ＦＤＭＡ受信器は、ＯＦＤＭＡ受信器と比較して、副搬送波デマッパー２３０の次にＩＦＦＴモジュール２４０をさらに備える。ＳＣ−ＦＤＭＡ受信器の信号処理過程はＳＣ−ＦＤＭＡ送信器と逆の構成になっている。
【００５５】
送信装置及び受信装置の各プロセッサ４００ａ，４００ｂは、該当の送信器１００ａ，１００ｂに接続して前述の構成要素の動作を制御する。参考として、図２及び図３では、ＭＩＭＯエンコーダ１１０、ＭＩＭＯプリコーダ１２０、副搬送波マッパー１４０−１，…，１４０−Ｋ、ＯＦＤＭＡ／ＳＣ−ＦＤＭＡ信号生成器１５０が送信器１００ａ，１００ｂに備えられるとして説明したが、送信装置のプロセッサ４００ａ，４００ｂが、エンコーダ１１０、プリコーダ１２０、ＦＦＴモジュール１３０、副搬送波マッパー１４０−１，…，１４０−Ｋ、ＯＦＤＭＡ／ＳＣ−ＦＤＭＡ信号生成器１５０を備えるように構成してもよい。同様に、図２及び図３では、信号復元器、多重化器、ＭＩＭＯデコーダが受信器３００ａ，３００ｂに備えられるとして説明したが、受信装置のプロセッサ４００ａ，４００ｂが信号復元器、多重化器、ＭＩＭＯデコーダを備えるように構成してもよい。以下では、説明の便宜のために、エンコーダ１１０、プリコーダ１２０、副搬送波マッパー１４０−１，…，１４０−Ｋ、ＯＦＤＭＡ／ＳＣ−ＦＤＭＡ信号生成器１５０が、それらの動作を制御するプロセッサ４００ａ，４００ｂと分離された送信器１００ａ，１００ｂに備えられ、信号復元器、多重化器、チャネル復調化器が、それらの動作を制御するプロセッサ４００ａ，４００ｂとは分離された受信器３００ａ，３００ｂに備えられているとして説明する。しかし、エンコーダ１１０、プリコーダ１２０、ＦＦＴモジュール１３０、副搬送波マッパー１４０−１，…，１４０−Ｋ、ＯＦＤＭＡ／ＳＣ−ＦＤＭＡ信号生成器１５０がプロセッサ４００ａ，４００ｂに備えられた場合、及び信号復元器、多重化器、ＭＩＭＯデコーダがプロセッサ４００ａ，４００ｂに備えられた場合にも、本発明の実施例を同一に適用することができる。
【００５６】
図４は、ＩＥＥＥ  ８０２．１６ｍの無線フレーム構造の一例を示す図である。無線フレーム構造は、ＦＤＤ（Ｆｒｅｑｕｅｎｃｙ  Ｄｉｖｉｓｉｏｎ  Ｄｕｐｌｅｘ）、Ｈ−ＦＤＤ（Ｈａｌｆ  Ｆｒｅｑｕｅｎｃｙ  Ｄｉｖｉｓｉｏｎ  Ｄｕｐｌｅｘ）、ＴＤＤ（Ｔｉｍｅ  Ｄｉｖｉｓｉｏｎ  Ｄｕｐｌｅｘ）などに適用することができる。
【００５７】
図４を参照すると、無線フレーム構造は、５ＭＨｚ、８．７５ＭＨｚ、１０ＭＨｚまたは２０ＭＨｚ帯域幅を支援する２０ｍｓスーパーフレーム（ｓｕｐｅｒｆｒａｍｅ  ０〜ｓｕｐｅｒｆｒａｍｅ  ３）を含むことができる。スーパーフレームは、同一サイズを持つ４個の５ｍｓフレーム（Ｆ０〜Ｆ３）を含むことができる。
【００５８】
１個のフレームは、所定個数のサブフレームを含むことができる。例えば、５／１０／２０ＭＨｚのシステム帯域幅の場合、１個のフレームは８個のサブフレーム（ＳＦ０〜ＳＦ７）を含むことができ、８．７５ＭＨｚのシステム帯域幅の場合、７個（ＳＦ０〜ＳＦ６）のサブフレームを含むことができ、７ＭＨｚのシステム帯域幅の場合、６個（ＳＦ０〜ＳＦ５）のサブフレームを含むことができる。サブフレームは下りリンクまたは上りリンク伝送に割り当てられる。フレームは、デュプレックス（ｄｕｐｌｅｘ）モードによって異なる構成とすることができる。例えば、ＦＤＤモードで、下りリンク伝送及び上りリンク伝送は周波数によって区分されるから、フレームは、下りリンクサブフレームまたは上りリンクサブフレームのいずれか一方のみを含む。ＦＤＤモードで、例えば、５／１０／２０ＭＨｚのシステム帯域幅の場合、各フレーム内の８個のサブフレームには０〜７までの番号が与えられる。ＦＤＤモードの場合、毎フレームの末尾に休止時間（ｉｄｌｅ  ｔｉｍｅ）が存在し得る。一方、ＴＤＤモードで、下りリンク伝送及び上りリンク伝送は時間によって区分されるから、フレーム内のサブフレームは下りリンクサブフレームと上りリンクサブフレームとに区分される。下りリンクから上りリンクに変更される間には、ＴＴＧ（Ｔｒａｎｓｍｉｔ／ｒｅｃｅｉｖｅ  Ｔｒａｎｓｉｔｉｏｎ  Ｇａｐ）と呼ばれる休止時間が存在し、上りリンクから下りリンクに変更される間には、ＲＴＧ（Ｒｅｃｅｉｖｅ／ｔｒａｎｓｍｉｔ  Ｔｒａｎｓｉｔｉｏｎ  Ｇａｐ）と呼ばれる休止時間が存在する。ＴＤＤモードで、例えば、５／１０／２０ＭＨｚのシステム帯域幅の場合、各フレーム内の８個のサブフレームのうち、ｎ個の下りリンクサブフレームは０からｎ−１までインデクシングされ、（８−ｎ）個の上りリンクサブフレームは０から（８−ｎ）−１までインデクシングされる。
【００５９】
サブフレームは、伝送時間間隔（Ｔｒａｎｓｍｉｓｓｉｏｎ  Ｔｉｍｅ  Ｉｎｔｅｒｖａｌ、ＴＴＩ）の単位である。すなわち、１個のＴＴＩは一つ以上のサブフレームで定義される。一般に、基本ＴＴＩは１  サブフレームに設定される。ＴＴＩは、物理層で符号化されたパケットを無線インターフェースを介して伝送する時間間隔を意味する。そのため、データパケットを伝送するのに１サブフレームまたは複数の隣接したサブフレームを用いることができる。
【００６０】
サブフレームは、時間ドメインで複数のＯＦＤＭＡシンボルを含み、周波数ドメインで複数の副搬送波（ｓｕｂｃａｒｒｉｅｒ）を含む。ＯＦＤＭＡシンボルは、多重接続方式によってＯＦＤＭＡシンボル、ＳＣ−ＦＤＭＡシンボルなどと呼ぶことができる。サブフレームに含まれるＯＦＤＭＡシンボルの数は、チャネル帯域幅、ＣＰの長さによって様々に変更可能である。サブフレームに含まれるＯＦＤＭＡシンボルの数によってサブフレームのタイプ（ｔｙｐｅ）を定義することができる。例えば、タイプ−１サブフレームは６  ＯＦＤＭＡシンボル、タイプ−２サブフレームは７  ＯＦＤＭＡシンボル、タイプ−３サブフレームは５  ＯＦＤＭＡシンボル、タイプ−４サブフレームは９  ＯＦＤＭＡシンボルを含むと定義することができる。一つのフレームは、いずれも同じタイプのサブフレームを含むこともあり、それぞれ異なったタイプのサブフレームを含むこともある。後述する本発明の実施例についての説明では、説明の便宜のために、一つのサブフレームが６  ＯＦＤＭＡシンボルで構成されるタイプ−１サブフレームを取り上げるが、後述する本発明の実施例は、他のタイプのサブフレームにも同様の適用が可能できる。
【００６１】
周波数ドメインにおいて、ＯＦＤＭＡシンボルは複数の副搬送波を含み、ＦＦＴ（Ｆａｓｔ  Ｆｏｕｒｉｅｒ  Ｔｒａｎｓｆｏｒｍ）サイズによって副搬送波の個数が決定される。副搬送波の類型は、データ伝送のためのデータ副搬送波、チャネル測定のためのパイロット副搬送波、ガードバンド（ｇｕａｒｄ  ｂａｎｄ）及びＤＣ成分のためのヌル副搬送波に区別可能である。ＯＦＤＭＡシンボルを特徴づけるパラメータは、ＢＷ、Ｎｕｓｅｄ、ｎ、Ｇなどである。ＢＷは、名目上のチャネル帯域幅（ｎｏｍｉｎａｌ  ｃｈａｎｎｅｌ  ｂａｎｄｗｉｄｔｈ）である。Ｎｕｓｅｄは、信号伝送に用いられる副搬送波の個数である。ｎは、サンプリング因子であり、ＢＷ及びＮｕｓｅｄと共に副搬送波スペーシング（ｓｐａｃｉｎｇ）及び有効シンボル時間（ｕｓｅｆｕｌ  ｓｙｍｂｏｌ  ｔｉｍｅ）を決定する。Ｇは、ＣＰ時間に対する有効時間（ｕｓｅｆｕｌ  ｔｉｍｅ）の比率である。
【００６２】
周波数ドメインでリソースは所定個数の副搬送波単位に束ねられてもよい。１サブフレーム内の所定個数の副搬送波からなるグループを、リソースユニット（Ｒｅｓｏｕｒｃｅ  Ｕｎｉｔ、ＲＵ）と呼ぶ。リソースユニットは、リソース割当のための基本単位であり、論理周波数ドメインでのリソース割当の基本単位を論理リソースユニット（Ｌｏｇｉｃａｌ  Ｒｅｓｏｕｒｃｅ  Ｕｎｉｔ、ＬＲＵ）と呼び、物理周波数ドメインでのリソース割当の基本単位を物理リソースユニット（Ｐｈｙｓｉｃａｌ  Ｒｅｓｏｕｒｃｅ  Ｕｎｉｔ、ＰＲＵ）と呼ぶ。論理リソースユニットは周波数パーミュテーションを経て物理リソースユニットにマッピングされる。
【００６３】
サブフレームは周波数ドメインで複数のＰＲＵを含む。ＰＲＵは、時間ドメインで複数の連続したＯＦＤＭＡシンボル、周波数ドメインで複数の連続した副搬送波で構成される。一例として、ＰＲＵ内のＯＦＤＭＡシンボルの数は、サブフレームに含まれるＯＦＤＭＡシンボルの数と同一でよい。そのため、ＰＲＵ内のＯＦＤＭＡシンボルの数Ｎｓｙｍはサブフレームのタイプによって決定されることがある。一方、ＰＲＵ内の副搬送波の数を１８個とすることができ、この場合、タイプ−１サブフレームのＰＲＵは、６個のＯＦＤＭＡシンボル×１８個の副搬送波で構成可能である。
【００６４】
上述した構造は例示に過ぎない。したがって、スーパーフレームの長さ、スーパーフレームに含まれるフレームの数、フレームに含まれるサブフレームの数、サブフレームに含まれるＯＦＤＭＡシンボルの数、ＯＦＤＭＡシンボルのパラメータなどは様々に変更されてもよい。例えば、フレームに含まれるサブフレームの数は、チャネル帯域幅（ｃｈａｎｎｅｌ  ｂａｎｄｗｉｄｔｈ）、ＣＰ（ｃｙｃｌｉｃ  ｐｒｅｆｉｘ）の長さによって種々に変更されてもよい。
【００６５】
スーパーフレームは、スーパーフレームヘッダー（Ｓｕｐｅｒ  Ｆｒａｍｅ  Ｈｅａｄｅｒ、ＳＦＨ）から始まる。具体的に、スーパーフレームヘッダーは、スーパーフレーム内の１番目のサブフレームの末尾部の５個のＯＦＤＭシンボルを使用することができる。末尾部の５個ＯＦＤＭシンボルは当該１番目のサブフレーム内でタイプ−３サブフレームを形成することができる。スーパーフレームヘッダーは必須システムパラメータ（ｅｓｓｅｎｔｉａｌ  ｓｙｓｔｅｍ  ｐａｒａｍｅｔｅｒ）及びシステム構成情報（ｓｙｓｔｅｍ  ｃｏｎｆｉｇｕｒａｔｉｏｎ  ｉｎｆｏｒｍａｔｉｏｎ）を運ぶ。スーパーフレームヘッダーは、Ｐ−ＳＦＨ（ｐｒｉｍａｒｙ−ＳＦＨ）及びＳ−ＳＦＨ（ｓｅｃｏｎｄａｒｙ−ＳＦＨ）に分類可能である。Ｐ−ＳＦＨは毎スーパーフレームごとに伝送される。Ｓ−ＳＦＨは、３つのサブパケット（Ｓ−ＳＦＨ  ＳＰ１、Ｓ−ＳＦＨ  ＳＰ２、Ｓ−ＳＦＨ  ＳＰ３）に分類可能である。これらＳ−ＳＦＨのサブパケット（以下、Ｓ−ＳＦＨ  ＳＰ）は周期的に伝送される。各サブパケットは、異なった伝送周期を有することができる。例えば、Ｓ−ＳＦＨ  ＳＰは下記のような伝送周期を有することができる。
【００６６】
【表１】
0005503084.tif 000006
表１で、ＳＰスケジューリング周期情報は、Ｓ−ＳＦＨ  ＳＰの伝送周期を表す情報であり、Ｐ−ＳＦＨ、Ｓ−ＳＦＨ  ＳＰ１、Ｓ−ＳＦＨ  ＳＰ２、Ｓ−ＳＦＨ  ＳＰ３のうち少なくとも一つ（例えば、ＳＰ３）がＳＰスケジューリング周期情報を運ぶことができる。
【００６７】
一つのスーパーフレームには最大４個の下りリンク同期信号（ｓｙｎｃｈｒｏｎｉｚａｔｉｏｎ  ｓｉｇｎａｌ）が伝送される。下りリンク同期信号は下りリンク同期化に用いられる。ＩＥＥＥ  ８０２．１６ｍを取り上げると、ＩＥＥＥ  ８０２．１６ｍシステムで下りリンク同期信号はＰＡ−プリアンブル（Ｐｒｉｍａｒｙ  Ａｄｖａｎｃｅｄ  ｐｒｅａｍｂｌｅ）で構成された主同期信号、及びＳＡ−プリアンブル（Ｓｅｃｏｎｄａｒｙ  Ａｄｖａｎｃｅｄ  ｐｒｅａｍｂｌｅ）で構成された副同期信号を含む。ＦＤＤモード及びＴＤＤモードで、ＰＡ−プリアンブル、ＳＡ−プリアンブル、及びＬＢＳのための位置ビーコン（ｌｏｃａｔｉｏｎ  ｂｅａｃｏｎ）のそれぞれは、各フレームの１番目のシンボルに位置する。ＰＡ−プリアンブルは、システム帯域幅及び搬送波構成情報を運び、よって、ユーザー機器はＰＡ−プリアンブルからシステム帯域幅及び搬送波構成情報を獲得することができる。ＳＡ−プリアンブルは基地局のセルＩＤを運ぶ。ＳＡ−プリアンブルは１スーパーフレームにおいて１番目及び３番目のフレーム内の１番目のシンボルでそれぞれ１回ずつ、総２回伝送される。ユーザー機器は、１スーパーフレームで２回伝送されたＳＡ−プリアンブルを用いて、該当の基地局のセルＩＤを探知したりハンドオーバー時のセルスキャニングを行うことができる。
【００６８】
一方、本発明では、ＬＢＳのための位置ビーコン（以下、ＬＢＳ位置ビーコン）の割当がシステムに及ぶ影響を最小化するために、毎スーパーフレームではなく所定個数のスーパーフレームでのみＬＢＳ位置ビーコンを伝送する。以下の説明では、基地局が一つのセルに位置したＵＥにＬＢＳのための位置測定用参照信号を伝送する区間を、下りリンクＬＢＳゾーン（Ｄ−ＬＢＳゾーン）と命名する。すなわち、Ｄ−ＬＢＳゾーンは、ユーザー機器に受信されるＬＢＳ位置ビーコンを伝送するために定義される。後述する本発明の実施例によって構成されるＤ−ＬＢＳゾーンは、より高い正確度で位置関連パラメータ（ＲＤ、ＲＴＤ、ＲＳＳＩなど）の測定を可能にさせる。
【００６９】
本発明は、Ｄ−ＬＢＳゾーンが一つのスーパーフレームをスパンする実施例、及び複数の連続したスーパーフレームをスパンする実施例を含む。また、Ｄ−ＬＢＳゾーンを構成するスーパーフレームの個数が固定されている実施例、及び固定されていない実施例を含む。Ｄ−ＬＢＳゾーンを構成するスーパーフレームの個数が固定されていない場合に、基地局は、ＭＡＣ制御メッセージ、ＳＦＨ、またはＰＡ−プリアンブルを用いて、ＬＢＳゾーンを構成するスーパーフレームの個数をユーザー機器にシグナリングすることができる。Ｄ−ＬＢＳゾーンに属するスーパーフレームの個数が固定されている場合にも、Ｄ−ＬＢＳゾーンに属するスーパーフレームの個数に関する情報をＭＡＣ制御メッセージ、ＳＦＨまたはＰＡ−プリアンブルなどを用いてユーザー機器にシグナリングすることができる。基地局プロセッサ４００ｂは、Ｄ−ＬＢＳゾーンを構成するスーパーフレームの個数に関連する情報を含むＭＡＣ制御メッセージ、ＳＦＨたまはＰＡ−プリアンブルを生成することができる。以下では、説明の便宜のために、Ｄ−ＬＢＳゾーンがスパンするスーパーフレームの個数が固定されている場合を挙げて本発明の実施例を説明する。
【００７０】
図５は、Ｄ−ＬＢＳゾーンの割当例を示す図である。
【００７１】
１つのＤ−ＬＢＳゾーンは、１個以上のスーパーフレーム（例えば、４個）をスパンする。Ｄ−ＬＢＳゾーンが活性化されると、該Ｄ−ＬＢＳゾーンに属した各スーパーフレームの最後のフレームの最初のＤＬサブフレームの最初のＯＦＤＭＡシンボルがＬＢＳ位置ビーコン伝送に用いられる。タイプ−１サブフレームの場合、ＬＢＳ位置ビーコンの伝送される最初のＯＦＤＭシンボルを除く残り５個の連続したＯＦＤＭＡシンボルがタイプ−３サブフレームを形成する。タイプ−２サブフレームの場合、ＭＩＭＯミッドアンブル及びＬＢＳ位置ビーコンが一つのサブフレームで伝送されると、このＭＩＭＯミッドアンブルとＬＢＳ位置ビーコンとの間の５個の連続したＯＦＤＭＡシンボルがタイプ−３サブフレームを形成する。
【００７２】
図５を参照すると、ＰＡ−プリアンブルはスーパーフレーム内の２番目のフレーム（Ｆ１）の最初のシンボルに、ＳＡ−プリアンブルはスーパーフレームの残り２フレーム（Ｆ０及びＦ２）の各最初のシンボルに位置する。該スーパーフレームがＤＬ  ＬＢＳのための位置測定用スーパーフレームである場合は、ＬＢＳのための位置ビーコン（以下、ＬＢＳ位置ビーコン）がスーパーフレームの最後のフレーム（Ｆ３）で伝送され、それ以外の場合は、データ信号がスーパーフレームの最後のフレーム（Ｆ３）で伝送される。
【００７３】
ＵＥが複数のセルから伝送されたＬＢＳ位置ビーコン信号を用いて位置測定を行う場合に、可聴性（ｈｅａｒａｂｉｌｉｔｙ）問題、遠近効果（ｎｅａｒ−ｆａｒ  ｅｆｆｅｃｔ）などによって、サービングセル以外の隣接セルから来る信号は感知し難いという問題がある。この場合、隣接セルがＵＥに伝送する信号への干渉を軽減するために、サービングセルの基地局は当該サービングセルの下りリンク伝送を一時停止することができる。または、サービングセルの基地局は、当該サービングセルのＬＢＳ位置ビーコン信号が隣接セルのＬＢＳ位置ビーコン信号と直交する一定パターンの時間及び／または周波数リソースを用いて伝送されるように、該サービングセルのＬＢＳ位置ビーコン伝送をスケジューリングすることもできる。言い換えると、サービングセルの基地局は、直交する種々の伝送パターンのいずれか一つでＬＢＳ位置ビーコンを伝送することができる。このように一定パターンでスケジューリングされたＬＢＳ位置ビーコン伝送は各Ｄ−ＬＢＳゾーンに適用可能である。ＬＢＳのための位置測定に参加する各基地局は、セル特定にＬＢＳ位置ビーコン伝送のための伝送パターンを決定することができる。
【００７４】
Ｄ−ＬＢＳゾーンの活性化及び／またはＤ−ＬＢＳゾーン伝送周期を制御するＤ−ＬＢＳゾーン構成情報をＳＦＨを用いてＵＥに提供することができる。活性化されたＤ−ＬＢＳゾーンは、新しいＤ−ＬＢＳゾーン構成情報の適用、活性化されたＤ−ＬＢＳゾーンの非活性化、或いはＵＥのハンドオフ前まで、周期的に伝送することができる。例えば、下記の表のようなＤ−ＬＢＳゾーン構成情報をＳＦＨを用いてＵＥに伝送することができる。
【００７５】
【表２】
0005503084.tif 000007
図６及び図７に、ＬＢＳのための位置測定に参加するセルが互いに異なった時点でＤ−ＬＢＳゾーンの初期（ｉｎｉｔｉａｌ）伝送を始める場合における問題点を例示する。特に、図７には、一般的なタイプ−１サブフレームでの４データストリームのためのパイロットパターンと、ＬＢＳ位置ビーコンを含むタイプ−１サブフレームでの４データストリームのためのパイロットパターンの例を示す。図７の左図は、ＬＢＳ位置ビーコンを含んでいないタイプ−１サブフレームのパイロットパターンを示し、図７の右図は、ＬＢＳ位置ビーコンを含んでいるタイプ−１サブフレームのパイロットパターンを示している。以下では、スーパーフレーム番号（Ｓｕｐｅｒ  Ｆｒａｍｅ  Ｎｕｍｂｅｒ、ＳＦＮ）がｉであるスーパーフレームをスーパーフレームｉとして本発明の実施例を説明する。
【００７６】
Ｄ−ＬＢＳゾーンが周期的に伝送されるとき、Ｄ−ＬＢＳゾーンの伝送開始位置はＬＢＳのための位置測定に参加するセルのいずれにおいても同一であることが好ましい。ＬＢＳのための位置測定に参加するＢＳ同士が交渉（ｎｅｇｏｔｉａｔｅ）してＤ−ＬＢＳゾーンを構成し、ＢＳには隣接ＢＳによるＤ−ＬＢＳゾーンの配置がわかるとしても、ＵＥは、既に定義された情報或いは規則がないと、ＢＳ同士が協議したＤ−ＬＢＳゾーン情報が把握し難い。すなわち、ＵＥは、サービングセルのＢＳが該ＵＥに伝送したＤ−ＬＢＳゾーン構成情報に基づいて、当該サービングセルのＤ−ＬＢＳゾーンが伝送されるスーパーフレームを把握することはできるかもしれないが、隣接セルのＤ−ＬＢＳゾーンが伝送されるスーパーフレームは把握し難い。ＵＥが隣接セルのＤ−ＬＢＳゾーンが伝送されるスーパーフレームを誤把握すると、ＬＢＳのための測定性能が低下する不具合につながる。
【００７７】
例えば、図６を参照すると、セルＡの基地局（以下、ＢＳ  Ａ）は、セルＡに位置しているＵＥ（以下、ＵＥ  Ａ）に、ＳＦＮ  Ｎ＋１６から始めてセルＡのためのＤ−ＬＢＳゾーンを伝送する。ＬＢＳのための位置測定に参加するＢＳは、そのＢＳが制御する特定セルのためにＬＢＳ位置測定ビーコン伝送パターンをセル特定に構成し、上記ＬＢＳ位置ビーコンを運ぶスーパーフレームＮ＋１６を最初のスーパーフレームとして有する最初のＤ−ＬＢＳゾーンを伝送する。すなわち、スーパーフレームＮ＋１６が、最初のＤ−ＬＢＳゾーンがスパンする最初のスーパーフレームとなる。以下では、特定Ｄ−ＬＢＳゾーンの構成情報に応じて最初に伝送されるＤ−ＬＢＳゾーンに属した最初のスーパーフレームを初期開始スーパーフレーム（ｉｎｉｔｉａｌ  ｓｔａｒｔ  ｓｕｐｅｒｆｒａｍｅ）と称し、初期開始スーパーフレームのスーパーフレーム番号をＳＦＮＩｎｉｔｉａｌｓｔａｒｔｐｏｉｎｔと表示する。ＢＳ  Ａは、セルＡのためのＤ−ＬＢＳゾーンに属したサブフレームのうち、ＬＢＳ位置ビーコンが割り当てられたＬＢＳサブフレームでは、タイプ−３サブフレームのパイロットパターンでパイロットを伝送することができる。４個のデータストリームを伝送するとき、ＢＳ  Ａは、ＬＢＳ位置ビーコンを最初のＯＦＤＭＡシンボルで伝送し、残り５個のＯＦＤＭＡシンボルで、例えば、図７の右図のような形態のパイロットパターンを４個のデータストリームと共に伝送することができる。
【００７８】
一方、セルＡと一緒に位置測定に参加するセルＢの基地局（以下、ＢＳ  Ｂ）は、該セルＢに位置しているＵＥ（以下、ＵＥＢ）にセルＢのためのＤ−ＬＢＳゾーンをスーパーフレームＮ＋３２から伝送する。ＢＳ  ＡがＬＢＳ位置ビーコンを伝送するスーパーフレームＮ＋１６からスーパーフレームＮ＋１９において、ＢＳ  Ｂは一般的なデータをＵＥ  Ｂに伝送することができる。４個のデータストリームを伝送する場合、ＢＳ  Ｂは、スーパーフレームＮ＋１６からスーパーフレームＮ＋１９までの各サブフレームで、例えば、図７の左図のような形態のパイロットパターンを、上記４個のデータストリームと共に伝送することができる。
【００７９】
この場合、スーパーフレームＮ＋１６からスーパーフレームＮ＋１９において、ＵＥ  Ｂは、ＢＳ  ＡからはセルＡのＬＢＳ位置ビーコン及びタイプ−３サブフレームのパイロットパターンをデータと共に受信し、ＢＳ  Ｂからはタイプ−１サブフレームのパイロットパターンをデータと共に受信することができる。このとき、ＵＥ  Ｂの立場ではスーパーフレームＮ＋１６からスーパーフレームＮ＋１９がＤ−ＬＢＳゾーンでないため、ＵＥ  Ｂは、スーパーフレームＮ＋１６からスーパーフレームＮ＋１９までにおいて受信したデータを一般的なタイプ−１サブフレームのパイロットパターンを用いて復号（ｄｅｃｏｄｅ）しようと試みるはずである。一般に、ＬＢＳ位置ビーコンは、測定の正確度のためにブースティング（ｂｏｏｓｔｉｎｇ）した電力で伝送される。そのため、スーパーフレームＮ＋１６からスーパーフレームＮ＋１９までにおいて、ＵＥ  Ｂは、比較的強い強度でセルＡのＬＢＳ位置ビーコンを、ＢＳ  Ｂが伝送したデータと共に受信する場合がある。ＵＥ  Ｂは、ＢＳ  Ａがタイプ−１のサブフレームの最初のシンボルでＬＢＳ位置ビーコンを伝送し、タイプ−１サブフレームの残り５個のシンボルで他のタイプのパイロットをデータと共に伝送しているということが把握できず、性能低下を経ることになる。当該最初のシンボルではセルＡから高い伝送電力で伝送されたＬＢＳ位置ビーコンによる干渉が存在するわけである。なお、２個のデータストリームに対するパイロット伝送はインターレースされたパイロットパターンを用いるが、このようにインターレースされたパイロットパターンが用いられる場合、ＵＥは残り５個のシンボルでは他のタイプのパイロットを用いてデータ復号を試みるはずであるため、インターレースされたパイロットパターンが破られて正確な復号を行うことができなくなる。
【００８０】
また、Ｄ−ＬＢＳゾーンがセル間で整列されないと、それぞれのセルが、直交する伝送パターンのうち、セル−特定に定められる一つの伝送パターン上でＬＢＳ位置ビーコンを伝送することが困難となる。
【００８１】
このようにＬＢＳのための位置測定に参加するセル（以下、協力セル）からのＤ−ＬＢＳゾーンが整列されないことから生じる問題は、それら協力セルが同じ時点にＤ−ＬＢＳゾーンを始めることによってある程度解消することができる。協力セルが伝送するＤ−ＬＢＳゾーンが整列されるように、Ｄ−ＬＢＳゾーン構成情報を使用することができる。以下では、Ｄ−ＬＢＳゾーン構成情報がＳ−ＳＦＨ  ＳＰ３を用いて伝送されるとして本発明の実施例を説明する。しかし、Ｄ−ＬＢＳゾーン構成情報が他のブロードキャストチャネルを通じて伝送される場合にも、本発明の実施例は同様の適用が可能である。Ｓ−ＳＦＨ  ＳＰ３がＤ−ＬＢＳゾーン構成情報を運ぶ場合に、Ｄ−ＬＢＳゾーンは、Ｓ−ＳＦＨ  ＳＰ３により活性化されたり、その伝送周期が変更されたりする。以下では、図８乃至図１５を参照して、協力セルが他の協力セルと整列された形態でＤ−ＬＢＳゾーンを伝送できるような本発明の実施例について説明する。
【００８２】
ＢＳは、Ｄ−ＬＢＳゾーン構成情報を伝送することによって、Ｄ−ＬＢＳゾーンが伝送されることをＵＥに知らせることができ、ＵＥは、Ｄ−ＬＢＳ構成情報を受信することによって、ＢＳがＤ−ＬＢＳゾーンを新しく構成したこと、または既存のＤ−ＬＢＳゾーンを変更したことがわかる。Ｄ−ＬＢＳゾーン構成情報について、ＬＢＳに参加するセルのＢＳはいつＤ−ＬＢＳゾーンを活性化／非活性化するかを協議し、どのような周期でＤ−ＬＢＳゾーンを伝送するかを協議して、Ｄ−ＬＢＳゾーン構成情報を生成することができる。協力セル間のＤ−ＬＢＳゾーン構成情報が同一であるべきという制約がない限り、ＵＥは、サービングセルのＤ−ＬＢＳゾーン構成情報のみでは、他の協力セルのＤ−ＬＢＳゾーン構成情報が把握できない。しかし、各協力セルはＤ−ＬＢＳゾーンが構成されると、Ｄ−ＬＢＳゾーンが構成されたことを知らせるためにＤ−ＬＢＳゾーン構成情報を当該セルのＵＥに伝送するので、ＵＥはＤ−ＬＢＳゾーン構成情報を受信することによって、所定時間後にＬＢＳ位置ビーコンを運ぶＤ−ＬＢＳゾーンが伝送されるということを知る。したがって、本発明の実施例に係るＢＳは、Ｄ−ＬＢＳゾーン構成情報の伝送時点を制御することによって、協力セル間のＤ−ＬＢＳゾーン伝送を整列する。
【００８３】
Ｄ−ＬＢＳゾーン伝送を整列するための本発明の実施例は２つに大別できる。その一つは、新しい／変更されたＤ−ＬＢＳゾーン構成情報が伝送され得るタイミングを、協力セル間或いは既に定義されたセル間で固定する方案（方案１）である。もう一つは、協力セルがＤ−ＬＢＳゾーン構成情報を自由に伝送できるようにするものの、Ｄ−ＬＢＳゾーンを整列し得る規則を備える方案（方案２）である。
【００８４】
＜方案１：Ｓ−ＳＦＨ  ＳＰ３のための固定された伝送時点及び伝送周期＞
（第１の実施例）
図８は、本発明の第１の実施例に係るＤ−ＬＢＳゾーン整列方法を例示する。
【００８５】
例えば、下記の式によって、Ｓ−ＳＦＨ  ＳＰ３を用いたＤ−ＬＢＳゾーン伝送のための初期開始スーパーフレームを決定することができる。
【００８６】
【数１】
0005503084.tif 000008
式１で、ＳＦＮＩｎｉｔｉａｌｓｔａｒｔｐｏｉｎｔは、Ｄ−ＬＢＳゾーン初期開始ポイントに該当するスーパーフレーム（すなわち、初期開始スーパーフレーム）のスーパーフレーム番号（ＳＦＮ）を意味し、ＳＦＮＳ−ＳＦＨ（ＳＰ３）は、Ｓ−ＳＦＨ更新手順（ｐｒｏｃｅｄｕｒｅ）によってＵＥがＤ−ＬＢＳゾーンの初期或いは変更された周期情報を持つ変更されたＳ−ＳＦＨ  ＳＰ３（以下、新しいＳ−ＳＦＨ  ＳＰ３）を適用するスーパーフレームのＳＦＮを意味し、Ｄ−ＬＢＳＺＰは、Ｄ−ＬＢＳゾーンの周期を意味する。
【００８７】
図９は、Ｓ−ＳＦＨ更新手順を例示する図である。特に、図９は、Ｓ−ＳＦＨ  ＳＰ３が変更される場合における、Ｓ−ＳＦＨ更新手順を示している。図９で、Ｓ−ＳＦＨ  ＳＰ１、Ｓ−ＳＦＨ  ＳＰ２、Ｓ−ＳＦＨ  ＳＰ３の周期はそれぞれ、４０ｍｓ、８０ｍｓ、１６０ｍｓであり、Ｓ−ＳＦＨ変更サイクルは３２スーパーフレームである。
【００８８】
Ｓ−ＳＦＨに属する必須システムパラメータ及びシステム構成情報は、ＳＰ１、ＳＰ２及びＳＰ３のような３つのＳ−ＳＦＨ  ＳＰ情報要素（Ｉｎｆｏｒｍａｔｉｏｎ  Ｅｌｅｍｅｎｔ、ＩＥ）によって異なることがある。これら３つのＳ−ＳＦＨ  ＳＰ  ＩＥの周期情報は、表１で説明した通りである。
【００８９】
毎スーパーフレームごとに、ＢＳは、Ｓ−ＳＦＨスケジューリング情報、Ｓ−ＳＦＨ変更カウント、Ｓ−ＳＦＨ  ＳＰ変更ビットマップ、Ｓ−ＳＦＨ適用（ａｐｐｌｉｃａｔｉｏｎ）ホールド指示子を含むＰ−ＳＦＨ  ＩＥを伝送する。
【００９０】
Ｓ−ＳＦＨ変更カウントは、Ｓ−ＳＦＨ  ＩＥ内の全ての値が一定に維持される限り、一定に維持される。Ｓ−ＳＦＨ変更カウントは、ｍｏｄｕｌｏ｛ＳＦＮ，Ｓ−ＳＦＨ  ｃｈａｎｇｅ  ｃｙｃｌｅ｝＝０を満たす特定ＳＦＮでのみ増加する。Ｓ−ＳＦＨ変更サイクルは、Ｓ−ＳＦＨのコンテンツが同一に維持される最小限の持続期間（ｄｕｒａｔｉｏｎ）を意味する。Ｓ−ＳＦＨ変更サイクルはＳＦＨを通じてＵＥに伝送されうる。例えば、Ｓ−ＳＦＨ  ＳＰ３が下記の表によってＳ−ＳＦＨ変更サイクルを表す情報を含むことができる。
【００９１】
【表３】
0005503084.tif 000009
一Ｓ−ＳＦＨ変更サイクルの持続期間（ｄｕｒａｔｉｏｎ）中に任意のＳ−ＳＦＨ  ＩＥに含まれた値が変更されると、Ｓ−ＳＦＨ変更カウントは、Ｓ−ＳＦＨ変更サイクルの次の持続期間が始まるスーパーフレーム（すなわち、ｍｏｄｕｌｏ｛ＳＦＮ，Ｓ−ＳＦＨ  ｃｈａｎｇｅ  ｃｙｃｌｅ｝＝０を満たす次のスーパーフレーム）で１増加する。
【００９２】
Ｓ−ＳＦＨ変更カウントが修正されると、該修正されたＳ−ＳＦＨ変更カウントは、（ｍｏｄｕｌｏ｛ＳＦＮ，Ｓ−ＳＦＨ  ｃｈａｎｇｅ  ｃｙｃｌｅ｝＝０を満たす）次のスーパーフレームまで同一に維持される。ＵＥが、Ｐ−ＳＦＨ内のＳ−ＳＦＨ変更カウントフィールドが変更されなかったと判断すると、当該Ｓ−ＳＦＨが最新の情報を有すると判断する。
【００９３】
上記のＳ−ＳＦＨ変更ビットマップの各ビットは、Ｓ−ＳＦＨ変更カウントと関連して、Ｓ−ＳＦＨ  ＳＰ  ＩＥの変更状態を表す。例えば、ビット＃０（ｌｅａｓｔ  ｓｉｇｎｉｆｉｃａｎｔ  ｂｉｔ）、ビット＃１、及びビット＃２（ｍｏｓｔ  ｓｉｇｎｉｆｉｃａｎｔ  ｂｉｔ）をそれぞれ、Ｓ−ＳＦＨ  ＳＰ１  ＩＥ、Ｓ−ＳＦＨ  ＳＰ２  ＩＥ及びＳ−ＳＦＨ  ＳＰ３  ＩＥにマッピングすることができる。一つのＳ−ＳＦＨ  ＳＰ  ＩＥ内の任意の値が変更されると、該変更されたＳ−ＳＦＨ  ＳＰ  ＩＥに対応するビットを１に設定することができる。Ｓ−ＳＦＨ  ＳＰ変更ビットマップの値は、Ｓ−ＳＦＨ変更カウントが変更されるときに限って変更可能である。すなわち、一応修正されたＳ−ＳＦＨ  ＳＰ変更ビットマップは、Ｓ−ＳＦＨ変更カウントが増加する次のスーパーフレームまで維持される。
【００９４】
増加したＳ−ＳＦＨ変更カウントと関連したＳ−ＳＦＨ  ＳＰｘ  ＩＥは、Ｓ−ＳＦＨ変更カウントが変更されるスーパーフレームから始まって、Ｓ−ＳＦＨ  ＳＰｘがスケジュールされたスーパーフレームで伝送される。一応Ｓ−ＳＦＨ  ＩＥ内のコンテンツが変更されると、Ｓ−ＳＦＨ  ＩＥ内の全ての値が、Ｓ−ＳＦＨ変更カウントが再び変更されるまで、一つ以上のＳ−ＳＦＨ変更サイクル周期（ｐｅｒｉｏｄ）において変更されない。
【００９５】
ＵＥが変更されたＳ−ＳＦＨ  ＳＰｘ  ＩＥを受信する充分の時間を保障するために、変更されたコンテンツは、Ｓ−ＳＦＨ  ＳＰｘが変更されたＳＦＮにより決定された特定ＳＦＮで適用し始める。例えば、Ｓ−ＳＦＨ  ＳＰ３  ＩＥが変更されると、該Ｓ−ＳＦＨ  ＳＰ３  ＩＥ内の変更されたコンテンツを、該変更されたＳ−ＳＦＨ  ＳＰ３  ＩＥが伝送されたスーパーフレームの直後のスーパーフレームで適用する。図９を参照すると、ＢＳが新しいＳ−ＳＦＨ  ＳＰ３  ＩＥを、Ｓ−ＳＦＨ  ＳＰ３がスケジュールされたスーパーフレーム３５で初めて伝送すると、ＵＥは、新しいＳ−ＳＦＨ  ＳＰ３  ＩＥを初めて受信したスーパーフレーム３５の直後のスーパーフレーム３６でＳ−ＳＦＨ  ＳＰ３を適用する。
【００９６】
図８を再び参照すると、全てのセルがＳ−ＳＦＨ  ＳＰ３を同一の周期で伝送し、同一のスーパーフレームで新しいＳ−ＳＦＨ  ＳＰ３を伝送すると、協力セルに位置する各ＵＥは、同一のスーパーフレームで新しいＳ−ＳＦＨ  ＳＰ３を適用することとなる。例えば、セルＡの新しいＳＰ３とセルＢの新しいＳＰ３が両方ともスーパーフレームＮ＋１２で初めて伝送されると、ＵＥ  Ａは、スーパーフレームＮ＋１３でセルＡの新しいＳＰ３を適用し、ＵＥ  ＢもスーパーフレームＮ＋１３でセルＢの新しいＳＰ３を適用する。この場合、Ｄ−ＬＢＳＺＰが１６個のスーパーフレームであると、式１で、ＳＦＮＳ−ＳＦＨ（ＳＰ３）が同一になるため、Ｄ−ＬＢＳＺＰが同一であればＳＦＮＩｎｉｔｉａｌｓｔａｒｔｐｏｉｎｔも同一になる。したがって、ＢＳ  Ａ、ＢＳ  Ｂの両方ともスーパーフレームＮ＋１６でＤ−ＬＢＳゾーン伝送を始めることとなる。
【００９７】
本発明の第１の実施例は、Ｄ−ＬＢＳゾーン構成情報のようなセル共通ＳＦＨに影響を与えることなくＤ−ＬＢＳゾーン伝送を整列できるという利点がある。
【００９８】
ただし、本発明の第１の実施例によれば、全ＳＦＨ  ＩＥがセル共通情報ではないもかかわらず、ＳＦＨ  ＳＰｘが固定した時点で固定した周期で伝送されなければならないという欠点がある。また、協力セルが互いに異なった伝送周期でＤ−ＬＢＳゾーンを構成することが許与される場合に、Ｄ−ＬＢＳゾーン伝送周期が異なるセルではＳＦＮＩｎｉｔｉａｌｓｔａｒｔｐｏｉｎｔが変わることがある。そのため、本発明の第１の実施例によれば、ＳＰ３の伝送時点と伝送周期が固定され、協力セルが同じスーパーフレームで新しいＳＰ３を伝送しなければならない他、協力セルが同じ周期でＤ−ＬＢＳゾーンを伝送しなければならない。このように、本発明の第１の実施例は、ＳＦＨ  ＩＥを柔軟に活用できないという欠点がある。
【００９９】
＜方案２：Ｓ−ＳＦＨ  ＳＰ３のための柔軟な伝送時点及び伝送周期＞
セル環境の変化に柔軟に対応し得るように、Ｄ−ＬＢＳゾーン構成情報が自由に伝送されることが好ましい。すなわち、セル環境によってＤ−ＬＢＳゾーン構成情報の伝送時点及び／または伝送周期が変わることが好ましい。
【０１００】
（第２の実施例）
図１０及び図１１は、本発明の第２の実施例に係るＤ−ＬＢＳゾーン整列方法を例示している。図１０及び図１１で、Ｄ−ＬＢＳＺＰは１６個のスーパーフレームとする。
【０１０１】
図１０を参照すると、セルＡとセルＢとでＳＰ３の適用される時点が異なっても、ＢＳ  ＡとＢＳ  Ｂが同じスーパーフレームでＤ−ＬＢＳゾーンの伝送を始めることが可能である。例えば、セルＡを支援するＢＳ  ＡがスーパーフレームＮ＋１２で新しいＳＰ３を伝送すると、セルＡの位置しているＵＥ  Ａは、当該新しいＳＰ３をスーパーフレームＮ＋１３で適用する。この場合、式１によれば、ＢＳ  ＡはセルＡに、セルＡのＬＢＳ位置ビーコンを持つＤ−ＬＢＳゾーンをスーパーフレームＮ＋１６から始めて周期的に伝送する。セルＢを支援するＢＳ  ＢがスーパーフレームＮ＋１４で新しいＳＰ３を伝送すると、セルＢに位置しているＵＥ  Ｂは、当該新しいＳＰ３をスーパーフレームＮ＋１５で適用する。この場合、式１によれば、ＢＳ  ＢはセルＢに、セルＢのＬＢＳ位置ビーコンを持つＤ−ＬＢＳゾーンをスーパーフレームＮ＋１６から始めて周期的に伝送する。このように、新しいＤ−ＬＢＳゾーン構成情報がセルによって異なったスーパーフレームで伝送されても、当該新しい構成情報によるＤ−ＬＢＳゾーンの最初の伝送時点を同じスーパーフレームに整列することができる。
【０１０２】
ただし、本発明の第２の実施例によれば、特定協力セルの新しいＳＰ３が適用されるスーパーフレームが、他の協力セルの新しいＳＰ３が適用されたスーパーフレーム番号を基準に決定されたＳＦＮＩｎｉｔｉａｌｓｔａｒｔｐｏｉｎｔ以降に来る場合には、Ｄ−ＬＢＳゾーンの初期開始ポイントを整列することができない。図１１を参照すると、セルＡの新しいＳＰ３がスーパーフレームＮ＋１３で適用されると、式１によって、ＳＦＮＩｎｉｔｉａｌｓｔａｒｔｐｏｉｎｔがＮ＋１６に決定される。ところが、セルＢの新しいＳＰ３は、スーパーフレームＮ＋２１で適用されるので、式１によれば、セルＢの新しいＳＰ３に対応するＳＦＮＩｎｉｔｉａｌｓｔａｒｔｐｏｉｎｔはＮ＋３２となる。このようにＳＰ３の適用ポイントのいずれかでもＤ−ＬＢＳゾーン周期による一サイクルに含まれず、一サイクルを外れたＳＰ３の適用ポイントがある場合には、式１によっては、Ｄ−ＬＢＳゾーン伝送開始ポイントを同一のスーパーフレームに整列することができない。
【０１０３】
（第３実施例）
本発明の第３実施例は、全ＳＦＨ  ＳＰ  ＩＥではなくＤ−ＬＢＳゾーン構成情報のようなセル共通ＳＦＨ  ＳＰが適用される必要があるとき、ＳＦＨ伝送がセル間で整列されるように定義／制限する。例えば、Ｓ−ＳＦＨ  ＳＰ３、或いはセル−特定情報を含むＭＡＣ（Ｍｅｄｉｕｍ  Ａｃｃｅｓｓ  Ｃｏｎｔｒｏｌ）制御メッセージにＤ−ＬＢＳゾーン初期開始ポイントの整列のためのオフセットフィールドを設定することができる。協力セルがＤ−ＬＢＳゾーン構成情報を変更したり初めて生成した場合に、各協力セルはＳＰ３或いはＭＡＣ制御メッセージを用いてオフセットを伝送し、該オフセットによってＤ−ＬＢＳゾーン開始ポイントを決定することができる。ＵＥは、オフセットを受信して該当のセルのＤ−ＬＢＳゾーン開始ポイントを判断することができる。
【０１０４】
本発明の第３実施例によれば、Ｄ−ＬＢＳゾーン整列のためのオフセットフィールドを運び得るようにＳＦＨ或いはＭＡＣ制御メッセージが修正されなければならない。
【０１０５】
（第４の実施例）
図１２及び図１３は、本発明の第４の実施例に係るＤ−ＬＢＳゾーン整列方法を例示する。図１２及び図１３ではＳ−ＳＦＨ変更サイクルを３２個のスーパーフレームと仮定する。
【０１０６】
本発明の第４の実施例は、Ｄ−ＬＢＳゾーンの初期／変更された開始ポイントを、新しいＳＰ３が属したＳ−ＳＦＨ変更サイクル内の最後のスーパーフレーム（第４−１の実施例）、或いは新しいＳＰ３が属したＳ−ＳＦＨ変更サイクルの次のＳ−ＳＦＨ変更サイクル内の最初のスーパーフレーム（第４−２の実施例）に設定する。
【０１０７】
図１２を参照すると、本発明の第４−１の実施例は、新しいＤ−ＬＢＳゾーン構成情報によるＤ−ＬＢＳゾーンを、該新しいＤ−ＬＢＳゾーン構成情報が伝送されるスーパーフレームが属したＳ−ＳＦＨ変更サイクル内の最後のスーパーフレームから始めて伝送する。すなわち、ＳＦＮＩｎｉｔｉａｌｓｔａｒｔｐｏｉｎｔが、新しいＤ−ＬＢＳゾーン構成情報が伝送されるＳ−ＳＦＨ変更サイクルの最後のスーパーフレームに対応する。本発明の第４−１の実施例によれば、ＳＦＮＩｎｉｔｉａｌｓｔａｒｔｐｏｉｎｔがｍｏｄｕｌｏ｛ＳＦＮＩｎｉｔｉａｌｓｔａｒｔｐｏｉｎｔ＋１，Ｓ−ＳＦＨ  ｃｈａｎｇｅ  ｃｙｃｌｅ｝＝０を満たす。
【０１０８】
図１３を参照すると、本発明の第４−２の実施例は、新しいＤ−ＬＢＳゾーン構成情報によるＤ−ＬＢＳゾーンを、該新しいＤ−ＬＢＳゾーン構成情報が伝送されるスーパーフレームが属したＳ−ＳＦＨ変更サイクルのすぐ次のスーパーフレーム、すなわち、次のＳ−ＳＦＨ変更サイクルの最初のスーパーフレームから始めて伝送する。すなわち、ＳＦＮＩｎｉｔｉａｌｓｔａｒｔｐｏｉｎｔが、新しいＤ−ＬＢＳゾーン構成情報が伝送されるＳ−ＳＦＨ変更サイクルのすぐ次に来るスーパーフレームに対応する。本発明の第４−２の実施例によれば、ＳＦＮＩｎｉｔｉａｌｓｔａｒｔｐｏｉｎｔがｍｏｄｕｌｏ｛ＳＦＮＩｎｉｔｉａｌｓｔａｒｔｐｏｉｎｔ，Ｓ−ＳＦＨ  ｃｈａｎｇｅ  ｃｙｃｌｅ｝＝０を満たす。
【０１０９】
本発明の第４の実施例によれば、協力セルが同じＳ−ＳＦＨ変更サイクルで新しいＳＰ３を伝送しさえすれば、それら協力セルが互いに異なったスーパーフレームで新しいＳＰ３を伝送しても、協力セルのＤ−ＬＢＳゾーンはいずれも同じスーパーフレームから始めて伝送されることとなる。
【０１１０】
（第５の実施例）
図１４は、本発明の第５の実施例に係るＤ−ＬＢＳゾーン整列方法を例示する。図１４ではＳ−ＳＦＨ変更サイクルを３２個スーパーフレームと仮定する。
【０１１１】
本発明の第５の実施例は、下記の式を満たすＳＦＮＩｎｉｔｉａｌｓｔａｒｔｐｏｉｎｔを有するスーパーフレームを、新しいＤ−ＬＢＳゾーンの伝送開始ポイントと設定する。
【０１１２】
【数２】
0005503084.tif 000010
式２で、ＳＦＮＩｎｉｔｉａｌｓｔａｒｔｐｏｉｎｔ及びＬＢＳＺＰは、式１のＳＦＮＩｎｉｔｉａｌｓｔａｒｔｐｏｉｎｔ及びＬＢＳＺＰと同じ意味を有する。しかし、式２のＳＦＮＳ−ＳＦＨ（ＳＰ３）は、新しいＳＰ３が適用されるスーパーフレームのＳＦＮではなく、新しいＳＰ３が属したＳ−ＳＦＨ変更サイクル内の最後のスーパーフレームのＳＦＮを意味する。すなわち、本発明の第５の実施例によれば、変更された或いは新しいＤ−ＬＢＳゾーン構成情報を有するＳ−ＳＦＨ  ＳＰ３を含むＳ−ＳＦＨ変更サイクルの最後のスーパーフレームがＤ−ＬＢＳゾーンの初期開始ポイントを決定するのに用いられる。
【０１１３】
図１４を参照すると、セルＡを支援するＢＳ  Ａが、該セルＡのための新しいＤ−ＬＢＳゾーン構成情報を持つ新しいＳＰ３をスーパーフレームＮ＋３で伝送し、セルＢが支援するＢＳ  Ｂが、該セルＢのための新しいＤ−ＬＢＳゾーン構成情報を持つ新しいＳＰ３をスーパーフレームＮ＋２７で伝送する。セルＡの新しいＳＰ３とセルＢの新しいＳＰ３は、スーパーフレームＮからスーパーフレームＮ＋３１をスパンするＳ−ＳＦＨ変更サイクル（以下、Ｓ−ＳＦＨ変更サイクル１）で伝送される。ＢＳ  Ａは、Ｓ−ＳＦＨ変更サイクル１の最後のスーパーフレームであるスーパーフレームＮ＋３１のＳＦＮを、式２のＳＦＮＳ−ＳＦＨ（ＳＰ３）に設定して、セルＡのためのＳＦＮＩｎｉｔｉａｌｓｔａｒｔｐｏｉｎｔを決定する。セルＢのための新しいＳＰ３もＳ−ＳＦＨ変更サイクル１で伝送されるので、ＢＳ  Ｂも同様、Ｓ−ＳＦＨ変更サイクル１の最後のスーパーフレームインスーパーフレームＮ＋３１のＳＦＮを式２のＳＦＮＳ−ＳＦＨ（ＳＰ３）に設定して、セルＢのためのＳＦＮＩｎｉｔｉａｌｓｔａｒｔｐｏｉｎｔを決定する。各セルのＤ−ＬＢＳＺＰが１６個のスーパーフレームと、互いに同一であるとすると、セルＡとセルＢに対して、式２でＳＦＮＩｎｉｔｉａｌｓｔａｒｔｐｏｉｎｔの決定に用いられる因子であるＳＦＮＳ−ＳＦＨ（ＳＰ３）及びＤ−ＬＢＳＺＰがそれぞれ同一であるため、ＢＳ  ＡとＢＳ  Ｂは、同じＳＦＮＩｎｉｔｉａｌｓｔａｒｔｐｏｉｎｔであるＮ＋３２を得る。すなわち、ＢＳ  ＡはスーパーフレームＮ＋３２から始めて、セルＡのＬＢＳ位置ビーコンを含むＤ−ＬＢＳゾーンを伝送し、ＢＳ  Ｂも同様、スーパーフレームＮ＋３２から始めて、セルＢのＬＢＳ位置ビーコンを含むＤ−ＬＢＳゾーンを伝送することとなる。
【０１１４】
一方、図１４では、協力セルのＤ−ＬＢＳＺＰが１６と、いずれも同一である場合を挙げて説明したが、Ｓ−ＳＦＨ変更サイクルよりも大きくない４の公倍数が協力セルのためのＤ−ＬＢＳＺＰとして自由に選択されてもよい。例えば、表２によって４個、１６個、３２個スーパーフレームのみがＤ−ＬＢＳゾーン伝送周期として利用可能であるとすると、３２個のスーパーフレームのＳ−ＳＦＨ変更サイクルに対しては、協力セルに対するＤ−ＬＢＳ伝送周期が互いに異なっても、同じＳＦＮＩｎｉｔｉａｌｓｔａｒｔｐｏｉｎｔの値が得られる。
【０１１５】
本発明の第４の実施例及び第５の実施例は、Ｓ−ＳＦＨ変更サイクルを基準点にしてＳＦＮＩｎｉｔｉａｌｓｔａｒｔｐｏｉｎｔを決定する。本発明の第４の実施例及び第５の実施例では、ＬＢＳのために協力する複数の協力セルのためのＤ−ＬＢＳゾーン伝送が同じスーパーフレームで始まるためには、少なくともそれら協力セルが同一のＳ−ＳＦＨ変更サイクル内で新しいＳＰを伝送しなければならない。そのために、本発明の第４の実施例或いは第５の実施例によって構成された各ＢＳは、ＬＢＳのための位置測定に参加する他のセルのＢＳと協議してＳ−ＳＦＨ変更サイクルを同一に調整することができる。或いは、セル別に異なった長さのＳ−ＳＦＨ変更サイクルが許容される場合に、位置測定に参加する各ＢＳは、協力セルのＳ−ＳＦＨ変更サイクルのうち、最も長いＳ−ＳＦＨ変更サイクルを考慮して新しいＳＰ３を伝送することができる。
【０１１６】
図１５は、互いに異なったＳ−ＳＦＨ変更サイクルを使用するセルでのＤ−ＬＢＳゾーン構成情報を伝送する方法を例示する。
【０１１７】
図１５を参照すると、ＬＢＳのための位置測定に参加するセルＡとセルＢに対して互いに異なったＳ−ＳＦＨ変更サイクルが用いられることがある。セルＡのＳ−ＳＦＨ変更サイクルは１６個のスーパーフレームであり、セルＢのＳ−ＳＦＨ変更サイクルは３２個のスーパーフレームであるとする。セルＡを支援するＢＳ  ＡとセルＢを支援するＢＳ  Ｂは、Ｄ−ＬＢＳゾーンの構成を協議或いは調整することができる。ＢＳ  ＡとＢＳ  Ｂが新しい／変更されたＤ−ＬＢＳゾーン構成情報を個別に伝送する場合に、セルＡに関する新しいＤ−ＬＢＳゾーン構成情報は、スーパーフレームＮからスーパーフレームＮ＋１５をスパンするセルＡのＳ−ＳＦＨ変更サイクル内で伝送され、セルＢに関する新しいＤ−ＬＢＳゾーン構成情報は、スーパーフレームＮからスーパーフレームＮ＋３１をスパンするセルＢのＳ−ＳＦＨ変更サイクル内で伝送される。この場合、本発明の第４の実施例或いは第５の実施例によれば、セルＡとセルＢに対して異なったＳＦＮＩｎｉｔｉａｌｓｔａｒｔｐｏｉｎｔが決定されることがある。例えば、第５の実施例を参照すると、Ｄ−ＬＢＳＺＰ＝１６のとき、セルＡに対するＳＦＮＩｎｉｔｉａｌｓｔａｒｔｐｏｉｎｔはＮ＋１６になるが、セルＢに対するＳＦＮＩｎｉｔｉａｌｓｔａｒｔｐｏｉｎｔはＮ＋３２となる。そのため、セルＡのＬＢＳ位置ビーコンの伝送開始とセルＢのＬＢＳ位置ビーコンの伝送開始とが異なったスーパーフレームで起きる。これを防止するために、協力セル別に異なったＳ−ＳＦＨ変更サイクルが許容される場合に、本発明のＢＳは、最も長いＳ−ＳＦＨ変更サイクルを考慮して新しいＤ−ＬＢＳゾーン構成情報を伝送することができる。例えば、図１５を参照すると、ＢＳ  Ａは、セルＡのためのＳＦＮＩｎｉｔｉａｌｓｔａｒｔｐｏｉｎｔが、最も長いＳ−ＳＦＨ変更サイクルである３２個スーパーフレームを基準にして判断されたＳＦＮＩｎｉｔｉａｌｓｔａｒｔｐｏｉｎｔと同一に判断されるように、最初のＳ−ＳＦＨ変更サイクルではなく、その次のＳ−ＳＦＨ変更サイクルで新しいＤ−ＬＢＳゾーン構成情報を伝送する。すなわち、ＢＳ  Ａは、スーパーフレームＮ＋１６からスーパーフレームＮ＋３１をスパンするセルＡのＳ−ＳＦＨ変更サイクルでＤ−ＬＢＳゾーン構成情報を伝送することができる。この場合、セルＡに対する新しいＤ−ＬＢＳゾーンは、セルＢに対する新しいＤ−ＬＢＳゾーンと同じスーパーフレームから始めて伝送されることが可能になる。例えば、第５の実施例を参照すると、Ｄ−ＬＢＳＺＰ＝１６のとき、セルＡのＳＰ３がスーパーフレームＮ＋１６からスーパーフレームＮ＋３１のうち、Ｓ−ＳＦＨ  ＳＰ３がスケジュールされたスーパーフレームで伝送されると、セルＡに対するＳＦＮＩｎｉｔｉａｌｓｔａｒｔｐｏｉｎｔはＮ＋３２となり、セルＢに対するＳＦＮＩｎｉｔｉａｌｓｔａｒｔｐｏｉｎｔと同一になる。
【０１１８】
本発明の実施例によれば、ＬＢＳのための位置測定に参加するセル間にＤ−ＬＢＳ伝送開始ポイントを整列することが可能になる。
【０１１９】
なお、本発明の実施例によれば、ＤＬ  ＬＢＳ位置測定用参照信号を用いた位置測定性能を向上させることができる。
【０１２０】
以上開示された本発明の好適な実施例についての詳細な説明は、当業者が本発明を具現して実施できるように提供された。以上では具体的な実施例を参照して本発明を説明したが、当該技術の分野における熟練した当業者には、添付の特許請求の範囲に記載された本発明の思想及び領域から逸脱しない範囲内で種々の修正及び変更が可能であるということが理解されるであろう。したがって、本発明は、ここに開示された実施の形態に制限されるものではなく、ここに開示された原理及び新規な特徴と一致する最も広い範囲を有するものと理解すべきである。
【産業上の利用可能性】
【０１２１】
本発明の実施例は、無線通信システムにおいて、基地局、ユーザー機器、またはその他の装備に利用可能である。
【図１】
0005503084.tif 000015
【図２】
0005503084.tif 000016
【図３】
0005503084.tif 000017
【図４】
0005503084.tif 000018
【図５】
0005503084.tif 000019
【図６】
0005503084.tif 000020
【図７】
0005503084.tif 000021
【図８】
0005503084.tif 000022
【図９】
0005503084.tif 000023
【図１０】
0005503084.tif 000024
【図１１】
0005503084.tif 000025
【図１２】
0005503084.tif 000026
【図１３】
0005503084.tif 000027
【図１４】
0005503084.tif 000028
【図１５】
0005503084.tif 000029